(57)【要約】  好ましくは注入針として構成された注入デバイスと、好ましくは熱交換器を備える血管内カテーテル又はパッドとして構成された、熱交換器を備えるさらなる体温適応デバイスとに接続されているか又は接続可能である、体温を適応させる装置であって、使用中、注入デバイス及びさらなる体温適応デバイスは、患者に注入可能な流体及びさらなる体温適応デバイス内の熱交換を目的とした流体が通って流れる流体回路部分、注入デバイスの注入及びさらなる体温適応デバイスの熱交換を制御することにより体温を制御するように構成されるコントローラ、並びに／又は体温を適応させるために流体を提供する流体供給部を共有する。【選択図】  図１
2017511244.tif 000002
【特許請求の範囲】
【請求項１】
好ましくは注入針として構成された注入デバイス（２００）と、好ましくは熱交換器（３１０）を備える血管内カテーテル又はパッドとして構成された、前記熱交換器（３１０）を備えるさらなる体温適応デバイス（３００）とに接続されているか又は接続可能である、体温（Ｔｂ）を適応させる装置であって、
使用中、前記注入デバイス（２００）及び前記さらなる体温適応デバイス（３００）が、
患者に注入可能な流体及び前記さらなる体温適応デバイス（３００）内の熱交換を目的とした流体が通って流れる流体回路部分（７００）、
前記注入デバイス（２００）の注入及び前記さらなる体温適応デバイス（３００）の熱交換を制御することにより体温（Ｔｂ）を制御するように構成されるコントローラ（１００）、及び／又は
体温を適応させるために流体を提供する流体供給部（４００）
を共有し、
前記コントローラ（１００）が、前記注入デバイス（２００）による注入及び前記さらなる体温適応デバイス（３００）による熱交換を同時に制御することにより体温（Ｔｂ）を制御するように構成されている、装置。
【請求項２】
前記注入デバイス（２００）及び前記さらなる体温適応デバイス（３００）が、
患者に注入可能な流体及び前記さらなる体温適応デバイス（３００）内の熱交換を目的とした流体の両方の温度を変更するように構成された流体温度適応デバイス（５００）、
患者に注入可能な流体及び前記さらなる体温適応デバイス（３００）内の熱交換を目的とした流体のうちの少なくとも１つを圧送するように構成されたポンプ（６００）、及び／又は
ハウジング（８００）
を共有する、請求項１に記載の装置。
【請求項３】
前記注入デバイス（２００）が、患者の血液回路に、体温（Ｔｂ）とは異なる温度を有するある体積の流体を追加するように構成されている、請求項１又は２に記載の装置。
【請求項４】
患者に注入可能な流体及び前記さらなる体温適応デバイス（３００）内の熱交換を目的とした流体が、同じ生体適合性流体、好ましくはＮａＣｌ又はリンゲル液のようなその他の平衡流体である、請求項１〜３のいずれか一項に記載の装置。
【請求項５】
当該装置と流体接続した前記注入デバイス（２００）及び前記血管内カテーテル（３００）が、異なる位置で血管に適用されるように構成されている、請求項１〜４のいずれか一項に記載の装置。
【請求項６】
前記血管内カテーテル（３００）が、中心静脈系内に、例えば、大腿部、鎖骨下、又は内頚静脈への挿入を介して適用されるように構成され、注入デバイス（２００）が、周辺位置で、例えば、腕の湾曲部における静脈アクセスに適用される、請求項１〜５のいずれか一項に記載の装置。
【請求項７】
当該装置（１００）が、前記注入デバイス（２００）による注入及び前記さらなる体温適応デバイス（３００）による熱交換を選択的及び／又は同時に操作するように構成されている、請求項１〜６のいずれか一項に記載の装置。
【請求項８】
流体の圧力及び／又は温度を測定するように構成された少なくとも１つの測定デバイス（２２０、３２０）をさらに備える、請求項１〜７のいずれか一項に記載の装置。
【請求項９】
一方（２２０）が患者に注入可能な流体の圧力及び／又は温度を測定し、もう一方（３２０）が前記血管内カテーテル内の熱交換を目的とした圧力及び／又は温度を測定する、前記２つの測定デバイス（２２０、３２０）をさらに備える、請求項１〜８のいずれか一項に記載の装置。
【請求項１０】
共有コネクタをさらに備え、
前記共有コネクタが、前記注入手段（２００）及び前記さらなる体温適応デバイス（３００）が共有する対応するコネクタとかみ合うように構成され、及び／又は、体温適応デバイス（５００）は熱交換器であり、及び／又は流体温度は異なる温度の２つの流体を混合することにより変えることができる、請求項１〜９のいずれか一項に記載の装置。
【請求項１１】
注入デバイス（２００）及びさらなる体温適応デバイス（３００）に流体接続されているか又は接続可能である、請求項１〜１０のいずれか一項に記載の装置であって、
前記注入デバイス（２００）及び前記さらなる体温適応デバイス（３００）は、流体回路部分（７００）を共有し、前記流体回路部分（７００）は少なくとも、
患者に注入可能な流体及び前記さらなる体温適応デバイス（３００）内の熱交換を目的とした流体の両方の温度を変更するように構成された流体温度適応デバイス（５００）の下流、並びに
前記さらなる体温適応デバイス（３００）に配置された熱交換器（３１０）の上流に配置される、装置。
【請求項１２】
注入デバイス（２００）及びさらなる体温適応デバイス（３００）に接続されているか又は接続可能である、請求項１〜１１のいずれか一項に記載の装置であって、前記注入デバイス（２００）及び前記さらなる体温適応デバイス（３００）は、流体温度適応デバイス（５００）を共有し、患者に注入可能な流体流れ及び前記さらなる体温適応デバイス（３００）内の熱交換を目的とした流体流れは、前記流体温度適応デバイス（５００）を通って流れる２つの別個の流体流れ（２７００、３７００）である、装置。
【請求項１３】
体温（Ｔｂ）を適応させるシステムであって、
請求項１〜１２のいずれか一項に記載の装置と、
注入デバイス（２００）と、
血管内カテーテル（３００）と
を備える、システム。
【請求項１４】
前記注入デバイス（２００）が、好ましくは前記カテーテル（３００）の熱交換部分（３１０）及び前記注入デバイス（２００）が同じ開口部を通って共に患者の中に挿入可能であるように、前記血管内カテーテル（３００）内又は前記血管内カテーテル（３００）に配置される、請求項１３に記載のシステム。
【請求項１５】
好ましくは注入針として構成された注入デバイス（２００）と、好ましくは熱交換器（３１０）を備える血管内カテーテル又はパッドとして構成された、前記熱交換器（３１０）を備えるさらなる体温適応デバイス（３００）とを接続するステップを有する、体温（Ｔｂ）を適応させる方法であって、
使用中、前記注入デバイス（２００）及び前記さらなる体温適応デバイス（３００）は、
患者に注入可能な流体及び前記さらなる体温適応デバイス（３００）内の熱交換を目的とした流体が通って流れる流体回路部分（７００）、
前記注入デバイス（２００）の注入及び前記さらなる体温適応デバイス（３００）の熱交換を制御することにより体温（Ｔｂ）を制御するように構成されるコントローラ（１００）、並びに／又は
体温を適応させるために流体を提供する流体供給部（４００）
を共有し、
前記装置（１００）は、前記注入デバイス（２００）による注入及び前記さらなる体温適応デバイス（３００）による熱交換を選択的及び／又は同時に操作する、方法。
【発明の詳細な説明】
【技術分野】
【０００１】
開示される技術は、患者の体温を制御するか又は制御を補助するデバイス及び方法に関する。
【背景技術】
【０００２】
患者の体温を制御するためのいくつかの技術が公知である。例えば、患者の表面を、例えば、氷、水、又はゲルを含んだ使い捨てパッドを用いて加温又は冷却することにより患者の体温を制御することが知られている。その他のデバイスは、公知のパッドシステム等の温度制御パッドを用いる。
【０００３】
表面冷却に基づくデバイスは、いくつかの利点を提供する。表面ベースの冷却方法は、使用が比較的簡単である。アイスパッドは、ほぼどこでも、例えば医学的なプライマリーケアの間救急車内で使用できる。表面ベースの治療デバイスは比較的安価である。さらに、当該デバイスは侵襲的ではなく、準備中に時間のかかる工程を伴わずに適用が容易である。他方で、これらの方法／デバイスには特定の欠点もある。例えば、表面冷却は、平均的な患者に対して０．３〜１．０℃／時で変動する比較的小さな冷却速度にしか到達しない（Kollmarら、Therapeutische Hypothermic-Prinzip,Indikationen, praktische Anwendung, Unimed-Verlag ２０１１年参照）。さらに、長期にわたるアイスパッドを用いた患者の治療は、より大きな人件費に関連し、皮膚炎をもたらすことがある。
【０００４】
使い捨てアイスパッドを使用することはさらに、これらの予め冷却されたアイスパッドは治療中定期的に供給／交換する必要があるため物流面での労力をより多く必要とする。加えて、使い捨てアイスパッドは、使い捨てアイスパッドの冷却速度が治療中絶えず変化するため、経験豊かな臨床スタッフを必要とする。このことは、臨床スタッフが患者の実際の体温を定期的にモニタすることを必要とし、またそれに従ってアイスパッドを適応させる必要があることを意味する。比較的小さな冷却速度故に、冷却治療の終了時に患者の復温を効果的に制御することはかなり難しい。このことは特に、絶えず変化する冷却速度を有する使い捨てアイスパッドに当てはまる。表面ベースの体温制御方法を使用することは、患者を過冷却する相当なリスクをさらに負うことがある。このことは、不整脈、凝固障害、及び感染リスクの増加を含む重篤な合併症をもたらすことがある。他方では、このような過冷却を避けるために、臨床スタッフは十分な外部冷却を提供しないことがあり、患者が所望の標的体温に到達せず不良な治療結果に至る。加えて、公知の従来技術の温度制御された表面温度制御デバイスは一般に、臨床スタッフにとって患者へのアクセスが減少する傾向がある。
【０００５】
熱交換器を備えた血管内カテーテルを用いて患者の体温を制御することも公知である。このようなカテーテルは一般に、患者からの体温フィードバックを使用してコントローラにより制御される。
【０００６】
血管内カテーテルは同等に高価である。血管内カテーテルは、侵襲的なカテーテルを患者の体内に適用する経験豊かな臨床スタッフを必要とし得る。カテーテルによる温度制御デバイスの準備は、比較的複雑で時間がかかる。このようなデバイスは一般に、医学的なプライマリーケアのために、例えば救急車内で使用するために適応される。約１．５℃／時の冷却速度は、血管内冷却カテーテルにより得られる可能性がある。
【０００７】
患者の体温を制御する第３の方法は、温度制御された流体の注入に基づく。欧州特許出願公開第２２０３１３６号は、生理食塩水等の温度制御された流体の注入によって患者の体温を調節又は安定化する装置及び方法を開示している。流体を注入することによる患者の冷却は最大冷却速度を可能とする。例えば、約３０ｍｌ／ｋｇ注入した場合には最大３．２℃／時の冷却速度を得ることができる。したがって、体重が７０ｋｇの平均的な患者は、約２．１リットルの低温注入流体の注入により１時間以内に３７℃から３４℃まで冷却されることになる。冷却デバイスの準備は比較的簡単で迅速である。準備はまた、医学的なプライマリーケアのために救急車内でも行うことができる。カテーテルの冷却と比較して、注入流体を加えることは比較的安価で非常に効果的である。その他の従来技術と比較して、温度制御された流体の注入は、特に従来技術である血管内冷却カテーテルと比較した場合に、患者の体温の大きな変化速度を達成するには最も適切な技術である。
【０００８】
特定の最小注入体積が特定の患者にとっては有益であるが、過剰な注入体積は患者の健康状態に悪影響を与えることがある。患者に注入可能な注入流体の最大体積は制限される。患者に注入してもよい注入流体の最大体積は種々の生理学的因子に依存し、患者毎に変化する。１日当たりの患者に供給されてもよい注入流体の最大体積Ｖｍａｘ（以後、注入流体の最大「量」とも呼ぶ）は、腎機能又は心臓関連の制限によって影響／制限され得る。１日当たりの最大注入体積量は、一般的に、臨床スタッフが既往歴を尋ねてから設定される。許容可能な最大注入体積は、例えば、１日当たり注入流体５〜６リットルであろう。腎機能が低下した患者には、最大体積Ｖｍａｘは１日当たり２〜３リットルと少なくなり得る。
【０００９】
国際公開第２００６／０９１２８４号は、患者を冷却するシステムについて開示している。システムは、静脈内熱交換カテーテル、外部冷却パッド及びバッグ、並びに冷却した生理食塩水を注入するための経路を備える。生理食塩水は、カテーテル及び／又はパッドを患者に係合するのを待っている間、患者の血流へと注入される。生理食塩水の直接的な注射は、熱交換カテーテル又は外部冷却パッドが設置されたときに終了する。その後の人工低体温は、熱交換カテーテル又は外部冷却パッドを使用してもたらされる。
【００１０】
国際公開第０２／０９８４８３号は、患者を冷却するように構成された血管内カテーテルについて開示している。
【００１１】
開示される技術は、患者の体温を制御するか又は制御を補助することに関する。このことは、患者の加温及び／又は冷却（低体温療法又は人工低体温法）と一般に呼ぶ。以後主に能動的に患者を冷却する場合について記述する。しかしながら、当該技術は患者を能動的に加温することにも等しく適用される。
【発明の概要】
【００１２】
さまざまな疾病構造のために、できる限り速く患者をまず冷却し、例えば、できるだけ早く人工低体温による神経障害を低減又は防止することが必要とされている。本発明の目的は、従来技術の前述の欠点を克服又は改善し、また患者の体温を制御するための改善された及び／又は代替的な及び／又は追加の方法又はデバイス提供することである。本発明の目的は、体温の制御精度が向上した体温を制御する装置及び方法を提供することである。すなわち、例えば、生理的状態を変化させる場合に、所望の標的体温からの体温のずれに対して迅速かつ確実に反応できることが所望される。
【００１３】
本発明のさらなる目的は、注入される体積が臨床医によって選択可能な体温制御装置及び方法を提供することである。さらなる好ましい目的は、特定の体温治療のために注入される体積を最小限に抑えることを可能にする体温制御装置及び方法を提供することである。本発明のさらなる目的は、低コストで体温を制御する装置及び方法を提供することである。さらなる目的は、使いやすさを向上させることと、体温制御機器の準備時間を短くすることである。
【００１４】
本発明の基礎にある目的（複数可）は特に、独立クレーム及び態様に規定される特徴により解決される。従属クレーム及び態様は、本発明の好ましい実施形態に関連する。さらなる追加の及び／又は代替的な態様が以下で論じられる。
【００１５】
１．少なくとも２つの異なる体温適応デバイス（２００、３００）を制御することにより体温（Ｔｂ）を制御するように構成されたコントローラ（１００）を備える体温（Ｔｂ）を制御する装置であって、
１つの体温適応デバイスは注入デバイス（２００）であり、
少なくとも１つのさらなる体温適応デバイス（３００）は、１つの体温適応デバイスとは異なっており、好ましくは注入デバイスではない、装置。
注入デバイスである１つの体温適応デバイスは、好ましくは、血液／血液製剤と、流体注入システムとを包含しており、及び／又は好ましくは、例えば、生理食塩水又はリンゲル液のようなその他の平衡流体を注入する注入システムである。
【００１６】
２．注入デバイス（２００）は、患者の血液回路に、体温（Ｔｂ）とは異なる温度を有するある体積の流体を追加するように構成される、クレーム１に記載の装置。
【００１７】
３．注入デバイス（２００）は、流体の体積流量及び／又は体温を変更するように構成される、クレーム１又は２に記載の装置。
【００１８】
４．さらなる体温適応デバイス（３００）は、体積ニュートラルな体温適応デバイスである、クレーム１〜３のいずれか一項に記載の装置。
【００１９】
５．さらなる体温適応デバイス（３００）は熱交換に基づく、クレーム１〜４のいずれか一項に記載の装置。
【００２０】
６．さらなる体温適応デバイス（３００）は、温度適応パッド、冷却ベスト、被りもの、血管内カテーテル、ガス吸入システム、経鼻蒸発カテーテルシステム、血液温の体外適応、血液加温器、温度適応マットレス及び／又は毛布、人工心肺、温度適応テント、並びに腹膜洗浄システムのうちの少なくとも１つである、クレーム１〜５のいずれか一項に記載の装置。
【００２１】
７．コントローラ（１００）は、注入デバイス（２００）及び少なくとも１つのさらなる体温適応デバイス（３００）を同時に制御することにより体温（Ｔｂ）を制御するように構成される、クレーム１〜６のいずれか一項に記載の装置。
【００２２】
８．コントローラ（１００）は、注入デバイス（２００）及び少なくとも１つのさらなる体温適応デバイス（３００）を選択的に操作するように構成される、クレーム１〜７のいずれか一項に記載の装置。
【００２３】
９．コントローラ（１００）は、注入デバイス（２００）及び少なくとも１つのさらなる体温適応デバイス（３００）を同時に操作するように構成される、クレーム１〜８のいずれか一項に記載の装置。
【００２４】
１０．コントローラ（１００）は、注入デバイス（２００）及び／又は少なくとも１つのさらなる体温適応デバイス（３００）を操作して、実際の体温（Ｔｂ  ａｃｔ）を標的体温（Ｔｂ  ｔａｒ）近くで維持する、クレーム１〜９のいずれか一項に記載の装置。
【００２５】
１１．コントローラは、実際の体温（Ｔｂ  ａｃｔ）と標的体温（Ｔｂ  ｔａｒ）を比較するように構成される閉ループコントローラである、クレーム１〜１０のいずれか一項に記載の装置。
【００２６】
１２．コントローラ（１００）は、標的治療時間（ｔｔｒｅａｔｍｅｎｔ）の間患者に適用される最小体積（Ｖｍｉｎ）及び最大体積（Ｖｍａｘ）を考慮して注入デバイス（２００）及び／又はさらなる体温適応デバイス（３００）を操作するように構成される、クレーム１〜１１のいずれか一項に記載の装置。
【００２７】
１３．コントローラ（１００）は、標的治療時間（ｔｔｒｅａｔｍｅｎｔ）の間患者に適用される推定体積（Ｖｅｓｔ）を推定するように構成される、クレーム１〜１２のいずれか一項に記載の装置。
【００２８】
１４．推定体積（Ｖｅｓｔ）は、患者の体重、注入される流体の温度、ボディマス指数、標的体温プロファイル（Ｔｂ  ｔａｒ  ｐｒｏｆ）のうちの１つ又は複数の、好ましくはすべてのパラメータに基づいて推定される、クレーム１４に記載の装置。
【００２９】
１５．コントローラ（１００）は、推定体積（Ｖｅｓｔ）が、最小体積（Ｖｍｉｎ）及び最大体積（Ｖｍａｘ）によって規定されそれらを含む範囲内ではない場合に、適応尺度を提案及び／又は変更するように構成され、適応尺度は、最小体積（Ｖｍｉｎ）及び／又は最大体積（Ｖｍａｘ）に対して推定体積（Ｖｅｓｔ）を変更する、クレーム１〜１４のいずれか一項に記載の装置。
【００３０】
１６．当該尺度は好ましくは、
最小体積（Ｖｍｉｎ）及び最大体積（Ｖｍａｘ）によって規定されそれらを含む範囲、
標的体温治療期間の長さの変化を含む、標的体温プロファイル（Ｔｂ  ｔａｒ  ｐｒｏｆ  ｎｅｗ）、
修正済み又は新しい又は推定された体積（Ｖｅｓｔ  ｎｅｗ）、
標的体温を満たすための許容誤差範囲、
特にさらなる体温適応デバイス（３００）によりなされる温度変化への貢献と相関した、時間の経過と共に注入される流体の体積の配分、
のうちの少なくとも１つの変化をもたらす、クレーム１５に記載の装置。
【００３１】
１７．コントローラ（１００）は、推定体積（Ｖｅｓｔ）が最大体積（Ｖｍａｘ）を超える場合、短縮された標的治療時間（ｔｔｒｅａｔｍｅｎｔ  ｎｅｗ）を提案及び／又は変更するように構成される、クレーム１〜１６のいずれか一項に記載の装置。
【００３２】
１８．コントローラ（１００）は、推定体積（Ｖｅｓｔ）が最小体積（Ｖｍｉｎ）未満である場合、延長された標的治療時間（ｔｔｒｅａｔｍｅｎｔ  ｎｅｗ）を提案及び／又は変更するように構成される、クレーム１〜１７のいずれか一項に記載の装置。
【００３３】
１９．コントローラ（１００）は、推定体積（Ｖｅｓｔ）が、最小体積（Ｖｍｉｎ）及び最大体積（Ｖｍａｘ）によって規定されそれらを含む範囲内ではない場合に、注入流体の変更された体積流量及び／又は変更された温度を提案及び／又は変更するように構成される、クレーム１〜１８のいずれか一項に記載の装置。
【００３４】
２０．コントローラ（１００）は、推定体積（Ｖｅｓｔ）が最小体積（Ｖｍｉｎ）超に変わるように注入流体の体積流量を増加させ、温度を下げるように構成される、クレーム１〜１９のいずれか一項に記載の装置。
【００３５】
２１．コントローラ（１００）は、推定体積（Ｖｅｓｔ）が、最小体積（Ｖｍｉｎ）及び最大体積（Ｖｍａｘ）によって規定されそれらを含む範囲内になるように、所望の最小体積（Ｖｍｉｎ）及び／又は所望の最大体積（Ｖｍａｘ）を変更するようにユーザに要求するように構成される、クレーム１〜２０のいずれか一項に記載の装置。
【００３６】
２２．コントローラ（１００）は、実際の体温（Ｔｂ  ａｃｔ）が
標的体温（Ｔｂ  ｔａｒ）よりも低い第１の下側閾値（Ｔｌ１）と、
標的体温（Ｔｂ  ｔａｒ）よりも高い第１の上側閾値（Ｔｕ１）と
の間であるかを評価するように構成される、クレーム１〜２１のいずれか一項に記載の装置。
【００３７】
２３．コントローラ（１００）は、実際の体温が第１の上側閾値（Ｔｕ１）を超える場合、実際の体温（Ｔｂ  ａｃｔ）を第１の上側閾値よりも低くするように、注入デバイス（２００）及び／又はさらなる体温適応デバイス（３００）の制御パラメータを操作又は変更するように構成される、クレーム２２に記載の装置。
【００３８】
２４．コントローラ（１００）は、実際の体温が第１の下側閾値（Ｔｌ１）未満になった場合、実際の体温（Ｔｂ  ａｃｔ）が第１の下側閾値を超えるように、注入デバイス（２００）及び／又はさらなる体温適応デバイス（３００）の制御パラメータを操作又は変更するように構成される、クレーム２２又は２３に記載の装置。
【００３９】
２５．コントローラ（１００）は、実際の体温（Ｔｂ  ａｃｔ）が
第１の下側閾値よりも低い第２の下側閾値（Ｔｌ２）と
第１の上側閾値よりも高い第２の上側閾値（Ｔｕ２）と
との間であるかを評価するように構成される、クレーム１〜２４のいずれか一項に記載の装置。
【００４０】
２６．コントローラ（１００）は、実際の体温（Ｔｂ  ａｃｔ）が第２の下側閾値（Ｔｌ２）未満になった場合、実際の体温（Ｔｂ  ａｃｔ）が少なくとも第２の下側閾値を超えるように、注入デバイス（２００）及びさらなる体温適応デバイス（３００）の制御パラメータを操作又は変更するように構成される、クレーム２５に記載の装置。
【００４１】
２７．コントローラ（１００）は、実際の体温が第２の上側閾値（Ｔｕ２）を超える場合、実際の体温（Ｔｂ  ａｃｔ）を少なくとも第２の上側閾値よりも低くするように、注入デバイス（２００）及びさらなる体温適応デバイス（３００）の制御パラメータを操作又は変更するように構成される、クレーム２５又は２６に記載の装置。
【００４２】
２８．コントローラ（１００）は、好ましくは、推定体積（Ｖｅｓｔ）が、最小体積（Ｖｍｉｎ）及び最大体積（Ｖｍａｘ）によって規定されそれらを含む範囲内ではない場合に、第１及び／若しくは第２の下側閾値並びに／又は第１及び／若しくは第２の上側閾値の異なる値（複数可）を提案並びに／又は変更するように構成される、クレーム１〜２７のいずれか一項に記載の装置。
が対応する閾値を有する複数の段階での異なる推定体積に適用できる。
【００４３】
２９．第１の下側閾値及び第１の上側閾値は第１の標的体温許容誤差範囲（Ｒａ１）を規定し、及び／又は第２の下側閾値及び第２の上側閾値は第２の標的体温許容誤差範囲を規定する、クレーム１〜２８のいずれか一項に記載の装置。
【００４４】
３０．コントローラ（１００）は、好ましくは推定体積（Ｖｅｓｔ）が最大体積（Ｖｍａｘ）を超える場合、第１及び／又は第２の標的体温許容誤差範囲の増加を提案又は増加させるように構成される、クレーム２９に記載の装置。
【００４５】
３１．コントローラ（１００）は、好ましくは推定体積（Ｖｅｓｔ）が最小体積（Ｖｍｉｎ）を超える場合、第１及び／又は第２の標的体温許容誤差範囲の減少を提案又は減少させるように構成される、クレーム１〜３０のいずれか一項に記載の装置。
【００４６】
３２．コントローラ（１００）は、注入デバイス（２００）及び／又はさらなる体温適応デバイス（３００）の制御感度（Ｓ２００、Ｓ３００）を推定するように構成される、クレーム１〜３１のいずれか一項に記載の装置。
【００４７】
３３．注入デバイス（２００）及び／又はさらなる体温適応デバイス（３００）の制御感度（Ｓ２００、Ｓ３００）は事前設定される、クレーム３２に記載の装置。
【００４８】
３４．コントローラ（１００）は、注入デバイス（２００）の第１の制御感度（Ｓ２００−１）で注入される流体の少なくとも１つの第１の推定体積部分（Ｖｅｓｔ  １）を推定するように構成され、コントローラ（１００）は、注入デバイス（２００）の第２の制御感度（Ｓ２００−２）で注入される流体の少なくとも１つの第２の推定体積部分（Ｖｅｓｔ  ２）を推定するように構成され、第１の制御感度（Ｓ２００−１）は第２の制御感度（Ｓ２００−２）よりも高い、クレーム１〜３３のいずれか一項に記載の装置。
【００４９】
３５．第１の推定体積部分（Ｖｅｓｔ  １）及び第２の推定体積部分（Ｖｅｓｔ  ２）の合計は推定体積（Ｖｅｓｔ）である、クレーム３４に記載の装置。
【００５０】
３６．コントローラ（１００）は、注入デバイス（２００）が第２の制御感度（Ｓ２００−２）で動作するか又は動作している期間中、さらなる体温適応デバイス（３００）を少なくとも部分的にだけ操作するか又は少なくとも部分的にだけ操作することを提案するように構成される、クレーム３４及び３５に記載の装置。
例えば、コントローラは、人工冷却治療の加温期間中に少なくとも部分的にパッド３００のみを操作できる。
【００５１】
３７．コントローラ（１００）は、推定体積（Ｖｅｓｔ）が最大体積（Ｖｍａｘ）を超えている場合に、変更された推定体積（Ｖｅｓｔ  ｎｅｗ）が最大体積（Ｖｍａｘ）以下になるように、注入デバイス（２００）が第２の制御感度（Ｓ２００−２）で動作するか又は動作している期間中、さらなる体温適応デバイス（３００）を少なくとも部分的にだけ操作することを提案及び／又は少なくとも部分的にだけ操作する、クレーム３６に記載の装置。
【００５２】
３８．コントローラ（１００）は、注入デバイス（２００）が第１の制御感度（Ｓ２００−１）で動作するか又は動作している期間中、少なくとも注入デバイス（２００）を操作することを提案及び／又は操作するように構成される、クレーム３４〜３６のいずれか一項に記載の装置。
例えば、コントローラは、人工冷却治療の冷却期間中に注入デバイス２００を操作することを提案できる。
【００５３】
３９．コントローラ（１００）は、推定体積（Ｖｅｓｔ）が第１の推定体積部分（Ｖｅｓｔ  １）及び最大体積（Ｖｍａｘ）によって規定されそれらを含む範囲内にある場合に、注入デバイス（２００）が第１の制御感度（Ｓ２００−１）で動作するか又は動作している期間中、少なくとも注入デバイス（２００）を操作することを提案及び／又は操作する、クレーム３８に記載の装置。
例えば、コントローラは、人工冷却治療の加温のためにパッド３００を使用している間、十分な流体が注入される予定である場合、注入流体で冷却することを提案又は冷却できる。
【００５４】
４０．コントローラ（１００）は、推定体積（Ｖｅｓｔ  １）が第１の推定体積部分（Ｖｅｓｔ  １）を超えない場合、注入デバイス（２００）が第１又は第２の制御感度（Ｓ２００−１、Ｓ２００−２）で動作するか又は動作している期間中、さらなる体温適応デバイス（３００）を少なくとも部分的にだけ操作することを提案する、クレーム３９に記載の装置。
例えば、注入流体を用いた冷却が好ましいが、パッドによる加温及び冷却が推定体積Ｖｅｓｔを最大体積Ｖｍａｘ未満で保つために必要とされる。
【００５５】
４１．コントローラ（１００）は、実際の体温（Ｔｂ  ａｃｔ）が第１の上側閾値を超える場合、少なくとも注入デバイス（２００）を操作することによって、患者を冷却するように構成される、クレーム１〜４０のいずれか一項に記載の装置。
【００５６】
４２．コントローラ（１００）は、実際の体温（Ｔｂ  ａｃｔ）が第１の下側閾値未満である場合に、さらなる適応デバイス（３００）を少なくとも操作することにより、患者を加温するように構成される、クレーム１〜４１のいずれか一項に記載の装置。
【００５７】
４３．コントローラ（１００）は、治療中患者を冷却するために必要とされる注入される冷却流体の体積（Ｖｅｓｔ  ｃｏｏｌ）を推定し、及び／又は
治療中患者を加温するために必要とされる注入される加温流体の体積（Ｖｅｓｔ  ｈｅａｔｉｎｇ）を推定するように構成される、クレーム１〜４２のいずれか一項に記載の装置。
【００５８】
４４．冷却流体の体積（Ｖｅｓｔ  ｃｏｏｌ）及び加温流体の体積（Ｖｅｓｔ  ｈｅａｔｉｎｇ）は合わせて推定体積（Ｖｅｓｔ）になる、クレーム４３に記載の装置。
【００５９】
４５．コントローラ（１００）は、推定体積（Ｖｅｓｔ）が最大体積（Ｖｍａｘ）を超えているため、推定体積（Ｖｅｓｔ）が最大体積（Ｖｍａｘ）以下になるように推定体積（Ｖｅｓｔ）を変更する場合、例えば、加温期間中、実際の体温（Ｔｂ  ａｃｔ）が第１の下側閾値未満であれば、さらなる体温適応デバイス（３００）を少なくとも部分的にだけ操作することを提案及び／又は少なくとも部分的にだけ操作する、クレーム４４に記載の装置。
例えば、コントローラは、人工冷却治療の加温期間中に少なくとも部分的にパッド３００のみを操作できる。
【００６０】
４６．コントローラ（１００）は、推定体積（Ｖｅｓｔ）が冷却流体の体積（Ｖｅｓｔ  ｃｏｏｌ）及び最大体積（Ｖｍａｘ）によって規定されそれらを含む範囲内にある場合、例えば、冷却期間中、実際の体温（Ｔｂ  ａｃｔ）が第１の上側閾値を超えていれば、少なくとも注入デバイス（２００）を操作することを提案及び／又は操作する、クレーム４１〜４５のいずれか一項に記載の装置。
例えば、コントローラは、人工冷却治療の加温のためにパッド３００を使用している間、十分な流体が注入される予定である場合、注入流体で冷却することを提案又は冷却できる。
【００６１】
４７．コントローラ（１００）は、推定体積（Ｖｅｓｔ）が第１の推定体積部分（Ｖｅｓｔ  １）を超えていない場合に、実際の体温（Ｔｂ  ａｃｔ）が第１の標的体温許容誤差範囲内でなければ、さらなる体温適応デバイス（３００）を少なくとも部分的にだけ操作することを提案及び／又は少なくとも部分的にだけ操作する、クレーム４１〜４４のいずれか一項に記載の装置。
【００６２】
４８．装置は治療を複数の治療段階に分割するように構成され、段階は、
患者を標的治療体温（Ｔｂ  ｔａｒ  ｔｒｅａｔ）まで冷却する冷却段階（Ｃ）、
標的治療体温（Ｔｂ  ｔａｒ  ｔｒｅａｔ）が一定である保持段階（Ｈ）、及び／又は
治療終了時に患者を所望の標的体温Ｔｂ  ｔａｒまで復温する加温段階（Ｗ）
のうちの少なくとも１つを含む、クレーム１〜４７のいずれか一項に記載の装置。
【００６３】
４９．装置は、各段階（Ｃ、Ｈ、Ｗ）に対して以下のパラメータ、すなわち、
各段階（Ｃ、Ｈ、Ｗ）の間注入される推定体積（Ｖｅｓｔ  Ｃ、Ｈ、Ｗ）、
各段階（Ｃ、Ｈ、Ｗ）の間注入される最小体積（Ｖｍｉｎ  Ｃ、Ｈ、Ｗ）、
各段階（Ｃ、Ｈ、Ｗ）の間注入される最大体積（Ｖｍａｘ  Ｃ、Ｈ、Ｗ）、
各段階（Ｃ、Ｈ、Ｗ）の標的体温（Ｔｂ  ｔａｒ）よりも低い第１の下側閾値、
各段階（Ｃ、Ｈ、Ｗ）の標的体温（Ｔｂ  ｔａｒ）よりも高い第１の上側閾値、
各段階（Ｃ、Ｈ、Ｗ）の第１の下側閾値よりも低い第２の下側閾値、
各段階（Ｃ、Ｈ、Ｗ）の第１の上側閾値よりも高い第２の上側閾値、
各段階（Ｃ、Ｈ、Ｗ）の下側閾値（複数可）及び上側閾値（複数可）により規定される第１及び／若しくは第２の標的体温許容誤差範囲（複数可）、
各段階（Ｃ、Ｈ、Ｗ）の注入デバイス（２００）及び／若しくはさらなる体温適応デバイス（３００）の制御感度（Ｓ２００  Ｃ、Ｈ、Ｗ、Ｓ３００  Ｃ、Ｈ、Ｗ）、
各段階（Ｃ、Ｈ、Ｗ）の注入デバイス（２００）の第１の制御感度（Ｓ２００−１  Ｃ、Ｈ、Ｗ）で注入される流体の第１の推定体積部分（Ｖｅｓｔ  １）、並びに／又は
各段階（Ｃ、Ｈ、Ｗ）の注入デバイス（２００）の第２の制御感度（Ｓ２００−２  Ｃ、Ｈ、Ｗ）で注入される流体の第２の推定体積部分（Ｖｅｓｔ  ２  Ｃ、Ｈ、Ｗ）
のうちの少なくとも１つを導くように構成され、第１の制御感度（Ｓ２００−１  Ｃ、Ｈ、Ｗ）は第２の制御感度（Ｓ２００−２  Ｃ、Ｈ、Ｗ）よりも高い、クレーム４８に記載の装置。
【００６４】
５０．段階（Ｃ、Ｈ、Ｗ）のうちの少なくとも１つの注入される最小体積（Ｖｍｉｎ  Ｃ、Ｈ、Ｗ）及び／又は最大体積（Ｖｍａｘ  Ｃ、Ｈ、Ｗ）はユーザによって事前設定される、クレーム４９に記載の装置。
【００６５】
５１．コントローラは、段階（Ｃ、Ｈ、Ｗ）のうちの少なくとも１つの最小体積（Ｖｍｉｎ）及び最大体積（Ｖｍａｘ）を考慮して注入デバイス（２００）及び／又はさらなる体温適応デバイス（３００）を操作するように構成される、クレーム４９又は５０に記載の装置。
【００６６】
５２．段階（Ｃ、Ｈ、Ｗ）のうちの１つにおける注入は他よりも優先される、クレーム４９〜５１のいずれか一項に記載の装置。
【００６７】
５３．注入デバイス（２００）は、好ましくは少なくとも１つのさらなる体温適応デバイス（３００）と一緒に、患者を冷却する冷却段階（Ｃ）の間少なくとも動作する、クレーム４９〜５２のいずれか一項に記載の装置。
【００６８】
５４．コントローラ（１００）は、注入デバイス（２００）及び／又はさらなる体温適応デバイス（３００）の体温適応速度（Ｒ２００、Ｒ３００）を推定するように構成される、クレーム１〜５３のいずれか一項に記載の装置。
【００６９】
５５．コントローラ（１００）は、注入デバイス（２００）及び／又はさらなる体温適応デバイス（３００）の体温を上昇させる体温適応速度（Ｒ２００  ｈｅａｔ、Ｒ３００  ｈｅａｔ）を推定するように構成される、クレーム１〜５４のいずれか一項に記載の装置。
【００７０】
５６．コントローラ（１００）は、注入デバイス（２００）及び／又はさらなる体温適応デバイス（３００）の体温を低下させる体温適応速度（Ｒ２００  ｃｏｏｌ、Ｒ３００  ｃｏｏｌ）を推定するように構成される、クレーム１〜５５のいずれか一項に記載の装置。
【００７１】
５７．コントローラ（１００）は、注入デバイス（２００）及び／又はさらなる体温適応デバイス（３００）の体温適応速度（Ｒ２００、Ｒ３００）を考慮して、注入デバイス（２００）及び／又はさらなる体温適応デバイス（３００）を制御するように構成される、クレーム５４〜５６のいずれか一項に記載の装置。
【００７２】
５８．コントローラ（１００）は、体温を上昇させる体温適応速度（Ｒ２００  ｈｅａｔ、Ｒ３００  ｈｅａｔ）及び体温を低下させる体温適応速度（Ｒ２００  ｃｏｏｌ、Ｒ３００  ｃｏｏｌ）を考慮して注入デバイス（２００）及びさらなる体温適応デバイス（３００）を制御するように構成される、クレーム５４〜５７のいずれか一項に記載の装置。
【００７３】
５９．コントローラ（１００）は、注入デバイス（２００）及びさらなる体温適応デバイス（３００）の体温適応速度（Ｒ２００、Ｒ３００）を比較するように構成され、コントローラ（１００）は、好ましくは、標的治療時間（ｔｔｒｅａｔｍｅｎｔ）の間患者に適用される最小体積（Ｖｍｉｎ）及び最大体積（Ｖｍａｘ）を考慮して、最も好ましくは推定体積（Ｖｅｓｔ）が最小体積（Ｖｍｉｎ）及び最大体積（Ｖｍａｘ）によって規定されそれらを含む範囲内になるように、大きな体温適応速度（Ｒ２００、Ｒ３００）を有する注入デバイス（２００）及びさらなる体温適応デバイス（３００）のうちの１つを選択的に操作するように構成される、クレーム５４〜５８のいずれか一項に記載の装置。
【００７４】
６０．注入デバイス（２００）及びさらなる体温適応デバイス（３００）の体温適応速度（Ｒ２００、Ｒ３００）の比較は、体温を上昇させる（Ｒ２００  ｈｅａｔ、Ｒ３００  ｈｅａｔ）ために、また体温を低下させる（Ｒ２００  ｃｏｏｌ、Ｒ３００  ｃｏｏｌ）ために実施される、クレーム１〜５９のいずれか一項に記載の装置。
【００７５】
６１．コントローラ（１００）は、好ましくは、標的治療時間（ｔｔｒｅａｔｍｅｎｔ）の間患者に適用される最小体積（Ｖｍｉｎ）及び最大体積（Ｖｍａｘ）を考慮して、最も好ましくは推定体積（Ｖｅｓｔ）が最小体積（Ｖｍｉｎ）及び最大体積（Ｖｍａｘ）によって規定されそれらを含む範囲内になるように、注入デバイス（２００）及び／又はさらなる体温適応デバイス（３００）の体温適応速度（Ｒ２００、Ｒ３００）を変更又は変更することを提案するように構成される、クレーム１〜６０のいずれか一項に記載の装置。
【００７６】
６２．コントローラ（１００）は、さらなる体温適応デバイス（３００）よりも注入デバイス（２００）の制御及び／又は注入デバイス（２００）よりもさらなる体温適応デバイス（３００）の制御を優先するように構成される、クレーム１〜６１のいずれか一項に記載の装置。
【００７７】
６３．コントローラ（１００）は、さまざまな治療様式で使用されるように構成される、クレーム１〜６２のいずれか一項に記載の装置。
【００７８】
６４．コントローラは、治療様式に応じた治療中の実際の体温（Ｔｂ  ａｃｔ）の制御精度を変更するように構成される、クレーム６３に記載の装置。
【００７９】
６５．制御精度は、第１及び／又は第２の標的体温許容誤差範囲を変更することによって変更される、クレーム６４に記載の装置。
【００８０】
６６．制御精度は、注入デバイス（２００）及び／又はさらなる体温適応デバイス（３００）の感度を変更することによって変更される、クレーム６４又は６５に記載の装置。
【００８１】
６７．高制御精度の治療様式におけるコントローラ（１００）は、少なくとも注入デバイス（２００）を操作することにより体温を制御し、低制御精度の様式におけるコントローラ（１００）は、好ましくは、主にさらなる体温適応デバイス（３００）を操作することによって、体温を制御し、高制御精度の治療期間中の制御精度は、低制御精度の期間中よりも高い、クレーム６４〜６６のいずれか一項に記載の装置。
【００８２】
６８．コントローラ（１００）は、少なくとも２つの異なる体温適応デバイス（２００、３００）のうちの少なくとも１つの操作の前に、推定体積（Ｖｅｓｔ）が、最小体積（Ｖｍｉｎ）及び最大体積（Ｖｍａｘ）によって規定されそれらを含む範囲内であるかどうかを確認するように構成される、クレーム１〜６７のいずれか一項に記載の装置。
【００８３】
６９．コントローラ（１００）は、装置の操作中に推定体積（Ｖｅｓｔ）を推定するように構成される、クレーム１〜６８のいずれか一項に記載の装置。
【００８４】
７０．コントローラ（１００）は、推定体積（Ｖｅｓｔ）が、最小体積（Ｖｍｉｎ）及び最大体積（Ｖｍａｘ）によって規定されそれらを含む範囲内になければ、少なくとも２つの異なる体温適応デバイス（２００、３００）のうちの少なくとも１つの操作を変更するように構成される、クレーム１〜６９のいずれか一項に記載の装置。
【００８５】
７１．好ましくは注入針として構成された注入デバイス（２００）と、好ましくは熱交換器（３１０）を備える血管内カテーテル又はパッドとして構成されたさらなる体温適応デバイス（３００）とに接続されているか又は接続可能である、好ましくはクレーム１〜７０のいずれか一項に記載の体温（Ｔｂ）を適応させる装置であって、
使用中、注入デバイス（２００）及びさらなる体温適応デバイス（３００）は、
患者に注入可能な流体及びさらなる体温適応デバイス（３００）内の熱交換を目的とした流体が通って流れる流体回路部分（７００）、
注入デバイス（２００）の注入及びさらなる体温適応デバイス（３００）の熱交換を制御することにより体温（Ｔｂ）を制御するように構成されるコントローラ（１００）、並びに／又は
体温を適応させるために流体を提供する流体供給部（４００）
を共有する、装置。
【００８６】
７２．注入デバイス（２００）及びさらなる体温適応デバイス（３００）は、
患者に注入可能な流体及びさらなる体温適応デバイス（３００）内の熱交換を目的とした流体の両方の温度を変更するように構成された流体温度適応デバイス（５００）、
患者に注入可能な流体及びさらなる体温適応デバイス（３００）内の熱交換を目的とした流体のうちの少なくとも１つを圧送するように構成されたポンプ（６００）、並びに／又は
ハウジング（８００）
を共有する、好ましくはクレーム７１に記載の装置。
【００８７】
７３．注入デバイス（２００）は、患者の血液回路に、体温（Ｔｂ）とは異なる温度を有するある体積の流体を追加するように構成される、クレーム１〜７２のいずれか一項に記載の装置。
【００８８】
７４．患者に注入可能な流体及びさらなる体温適応デバイス（３００）内の熱交換を目的とした流体は、同じ生体適合性流体、好ましくはＮａＣｌ又はリンゲル液のようなその他の平衡流体である、クレーム１〜７３のいずれか一項に記載の装置。
【００８９】
７５．装置と流体接続した注入デバイス（２００）及び血管内カテーテル（３００）は、異なる位置で血管に適用されるように構成される、クレーム１〜７４のいずれか一項に記載の装置。
【００９０】
７６．血管内カテーテル（３００）は、中心静脈系内に、例えば、大腿部、鎖骨下、又は内頚静脈への挿入を介して適用され、注入デバイス（２００）は、周辺位置で、例えば、腕の湾曲部における静脈アクセスに適用される、クレーム１〜７５のいずれか一項に記載の装置。
【００９１】
７７．装置（１００）は、注入デバイス（２００）による注入及びさらなる体温適応デバイス（３００）による熱交換を選択的及び／又は同時に操作するように構成される、クレーム１〜７６のいずれか一項に記載の方法。
【００９２】
７８．コントローラ（１００）は、注入デバイス（２００）による注入及びさらなる体温適応デバイス（３００）による熱交換を同時に制御することにより体温（Ｔｂ）を制御するように構成される、クレーム７７のいずれか一項に記載の装置。
【００９３】
７９．流体の圧力及び／又は温度を測定するように構成された少なくとも１つの測定デバイス（２２０、３２０）をさらに備える、クレーム１〜７８のいずれか一項に記載の装置。
【００９４】
８０．一方（２２０）は患者に注入可能な流体の圧力及び／又は温度を測定し、もう一方（３２０）は血管内カテーテル内の熱交換を目的とした流体の圧力及び／又は温度を測定する、２つの測定デバイス（２２０、３２０）をさらに備える、クレーム７９に記載の装置。
【００９５】
８１ａ．共有コネクタをさらに備え、共有コネクタは、注入手段（２００）及びさらなる体温適応デバイス（３００）が共有する対応するコネクタとかみ合うように構成される、クレーム１〜８０のいずれか一項に記載の装置。
【００９６】
８１ｂ．体温適応デバイス５００は熱交換器であり、及び／又は流体温度は異なる温度の２つの流体を混合することにより変えられる、クレーム１〜８１ａのいずれか一項に記載の装置。
【００９７】
８２．注入デバイス（２００）及びさらなる体温適応デバイス（３００）に流体接続されているか又は流体接続可能である、好ましくはクレーム７１〜８１のいずれか一項に記載の体温（Ｔｂ）を制御する装置であって、
注入デバイス（２００）及びさらなる体温適応デバイス（３００）は、流体回路部分（７００）を共有し、流体回路部分（７００）は、少なくとも
患者に注入可能な流体及びさらなる体温適応デバイス（３００）内の熱交換を目的とした流体の両方の温度を変更するように構成された流体温度適応デバイス（５００）の下流、及び
さらなる体温適応デバイス（３００）に配置された熱交換器（３１０）の上流
に配置された、装置。
【００９８】
８３．作動デバイス（９００）は共有流体回路部分（７００）に配置され、作動デバイス（９００）は、作動デバイス（９００）に進入する流体流れを、患者に注入可能な流体流れと、さらなる体温適応デバイス（３００）内の熱交換を目的とした流体流れとに分割するように構成される、クレーム８２に記載の装置。
【００９９】
８４．作動デバイス（９００）は、制御ユニット（１００）から受信した信号に基づいて好ましくは患者に注入可能な流体流れ及び／又は熱交換を目的とした流体流れを調節するように構成されたスイッチ又はバルブである、クレーム８２又は８３に記載の装置。
【０１００】
８５．装置は、共有コントローラ（１００）を備え、コントローラ（１００）は制御信号を少なくとも流体温度適応デバイス（５００）及び作動デバイス（９００）に提供する、クレーム７１〜８４のいずれか一項に記載の装置。
【０１０１】
８６．共有流体回路部分（７００）はさらに、流体温度適応デバイス（５００）内に共有流路（Ｐ１）を包含する、クレーム７１〜８５のいずれか一項に記載の装置。
【０１０２】
８７．共有流体回路部分（７００）はさらに、流体温度（５００）の上流及び共有流体供給部（４００）の下流に配置された共有流路（Ｐ２）を包含する、クレーム７１〜８６のいずれか一項に記載の装置。
【０１０３】
８８．注入デバイス（２００）及びさらなる体温適応デバイス（３００）に流体接続されているか又は流体接続可能である、好ましくはクレーム７１〜８５のいずれか一項に記載の体温（Ｔｂ）を制御する装置であって、注入デバイス（２００）及びさらなる体温適応デバイス（３００）は、流体温度適応デバイス（５００）を共有し、患者に注入可能な流体流れ及びさらなる体温適応デバイス（３００）内の熱交換を目的とした流体流れは、流体温度適応デバイス（５００）を通って流れる２つの別個の流体流れ（２７００、３７００）である、装置。
【０１０４】
８９．流体温度適応デバイス（５００）は、２つの別個の流体流れの温度を独立して適応させるように構成される、クレーム８８に記載の装置。
【０１０５】
９０．流体温度適応デバイス（５００）は、１つのコントローラ（１００）からの少なくとも１つの制御信号に基づいて、２つの別個の流体流れ（２７００、３７００）の温度を適応させるように構成される、クレーム８８又は８９に記載の装置。
【０１０６】
９１．流体温度適応デバイス（５００）は、２つの別個の流体流れ（２７００、３７００）の温度を別個に制御するコントローラ（１００）からの少なくとも１つの制御信号に基づいて、２つの別個の流体流れ（２７００、３７００）の温度を適応させるように構成される、クレーム８８、８９、又は９０に記載の装置。
【０１０７】
９２．各々が２つの別個の流体流れ（２７００、３７００）のうちの１つと流体連通している２つの別個の流体供給部（４１０、４２０）をさらに備える、クレーム７１〜８５又は８８〜９１のいずれか一項に記載の装置。
【０１０８】
９３．２つの別個の流体供給部（４１０、４２０）は、１つの容器（４３０）に受容され、容器は好ましくは熱的に分離されている、クレーム９２に記載の装置。
【０１０９】
９４．共有コネクタを備え、コネクタはクレーム８１に記載の装置の共有コネクタに接続するように構成された共有管類であって、共有管類は、さらなる体温適応デバイス（３００）に接続されているか又は接続可能な１つの流路と、注入デバイス（２００）に接続されているか又は接続可能な１つの流路とをさらに備える、共有管類。
【０１１０】
９５．装置へと戻るカテーテル（３００）から流れる流路から注入流体の流路をさらに熱的に分離する分離部をさらに備える、クレーム９４に記載の共有管類。
【０１１１】
９６．体温（Ｔｂ）を適応させるシステムであって、
クレーム７１〜９５のいずれか一項に記載の装置と、
注入デバイス（２００）と、
血管内カテーテル（３００）と
を備える、システム。
【０１１２】
９７．クレーム９４又は９５の共有管類をさらに備える、クレーム９６に記載のシステム。
【０１１３】
９８．注入デバイス（２００）は、好ましくは、カテーテル（３００）の熱交換部分（３１０）及び注入デバイス（２００）が同じ開口部を通って共に患者の中に挿入可能であるように、血管内カテーテル（３００）内又は血管内カテーテル（３００）に配置される、クレーム９６又は９７に記載のシステム。
【０１１４】
９９．体温センサをさらに備える、クレーム９６〜９８のいずれか一項に記載のシステム。
【０１１５】
１００．携帯型メモリデバイスをさらに備える、クレーム９６〜９８のいずれか一項に記載のシステム。
【０１１６】
１０１．少なくとも２つの異なる体温適応デバイス（２００、３００）を制御することによって体温（Ｔｂ）を制御するステップを含む、体温（Ｔｂ）を制御する方法であって、
１つの体温適応デバイスは注入デバイス（２００）であり、
少なくとも１つのさらなる体温適応デバイス（３００）は、１つの体温適応デバイスとは異なっており、好ましくは注入デバイスではない、方法。
注入デバイスである１つの体温適応デバイスは、好ましくは、血液／血液製剤と、流体注入システムとを包含しており、及び／又は好ましくは、例えば、生理食塩水若しくはリンゲル液のようなその他の平衡流体を注入する注入システムである。
【０１１７】
１０２．注入デバイス（２００）は、体温（Ｔｂ）とは異なる温度を有するある体積の流体を患者の血液回路に追加する、クレーム１０１に記載の方法。
【０１１８】
１０３．注入デバイス（２００）は流体の体積流量及び／又は温度を変更する、クレーム１０１又は１０２に記載の方法。
【０１１９】
１０４．さらなる体温適応デバイス（３００）は、体積ニュートラルな体温適応デバイスである、クレーム１〜１０３のいずれか一項に記載の方法。
【０１２０】
１０５．さらなる体温適応デバイス（３００）は熱交換に基づく、クレーム１〜１０４のいずれか一項に記載の方法。
【０１２１】
１０６．さらなる体温適応デバイス（３００）は、温度適応パッド、温度適応テント、血管内カテーテル、ガス吸入、血液温の体外適応、温度適応マットレス及び／又は毛布、人工心肺、及び腹膜洗浄、冷却ベスト、被りもの、血管内カテーテル、経鼻蒸発カテーテルシステム、血液加温器のうちの少なくとも１つである、クレーム１〜１０５のいずれか一項に記載の方法。
【０１２２】
１０７．注入デバイス（２００）及び少なくとも１つのさらなる体温適応デバイス（３００）を同時に制御することにより体温（Ｔｂ）を制御するステップをさらに含む、クレーム１〜１０６のいずれか一項に記載の方法。
【０１２３】
１０８．注入デバイス（２００）及び少なくとも１つのさらなる体温適応デバイス（３００）を選択的に操作するステップをさらに含む、クレーム１〜１０７のいずれか一項に記載の方法。
【０１２４】
１０９．注入デバイス（２００）及び少なくとも１つのさらなる体温適応デバイス（３００）を同時に操作するステップをさらに含む、クレーム１〜１０８のいずれか一項に記載の方法。
【０１２５】
１１０．注入デバイス（２００）及び／又は少なくとも１つのさらなる体温適応デバイス（３００）を操作して、実際の体温（Ｔｂ  ａｃｔ）を標的体温（Ｔｂ  ｔａｒ）近くで維持するステップをさらに含む、クレーム１〜１０９のいずれか一項に記載の方法。
【０１２６】
１１１．コントローラは、実際の体温（Ｔｂ  ａｃｔ）と標的体温（Ｔｂ  ｔａｒ）を比較するように構成される閉ループコントローラである、クレーム１〜１１０のいずれか一項に記載の方法。
【０１２７】
１１２．標的治療時間（ｔｔｒｅａｔｍｅｎｔ）の間患者に適用される最小体積（Ｖｍｉｎ）及び最大体積（Ｖｍａｘ）を考慮して注入デバイス（２００）及び／又はさらなる体温適応デバイス（３００）を操作するステップをさらに含む、クレーム１〜１１１のいずれか一項に記載の方法。
【０１２８】
１１３．標的治療時間（ｔｔｒｅａｔｍｅｎｔ）の間患者に適用される推定体積（Ｖｅｓｔ）を推定するステップをさらに含む、クレーム１〜１１２のいずれか一項に記載の方法。
【０１２９】
１１４．推定体積（Ｖｅｓｔ）は、患者の体重、注入される流体の温度、及びボディマス指数のうちの１つ又は複数の、好ましくはすべてのパラメータに基づいて推定され、リストには、標的体温プロファイル（Ｔｂ  ｔａｒ  ｐｒｏｆ）さえも含む、クレーム１１４の方法。
【０１３０】
１１５．推定体積（Ｖｅｓｔ）が、最小体積（Ｖｍｉｎ）及び最大体積（Ｖｍａｘ）によって規定されそれらを含む範囲内ではない場合に、適応尺度を提案及び／又は変更するステップをさらに含み、適応尺度は、最小体積（Ｖｍｉｎ）及び／又は最大体積（Ｖｍａｘ）に対して推定体積（Ｖｅｓｔ）を変更する、クレーム１〜１１４のいずれか一項に記載の方法。
【０１３１】
１１６．当該尺度は好ましくは、
最小体積（Ｖｍｉｎ）及び最大体積（Ｖｍａｘ）によって規定されそれらを含む範囲、
標的体温治療期間の長さの変化を含む、標的体温プロファイル（Ｔｂ  ｔａｒ  ｐｒｏｆ  ｎｅｗ）、
修正済み又は新しい又は推定された体積（Ｖｅｓｔ  ｎｅｗ）、
標的体温を満たすための許容誤差範囲、
さらなる体温適応デバイス（３００）によりなされる温度変化への貢献と相関した、時間の経過と共に注入される流体の体積の配分、
のうちの少なくとも１つの変化をもたらす、クレーム１１５に記載の方法。
【０１３２】
１１７．推定体積（Ｖｅｓｔ）が最大体積（Ｖｍａｘ）を超える場合、短縮された標的治療時間（ｔｔｒｅａｔｍｅｎｔ  ｎｅｗ）を提案及び／又は変更するステップをさらに含む、クレーム１〜１１６のいずれか一項に記載の方法。
【０１３３】
１１８．推定体積（Ｖｅｓｔ）が最小体積（Ｖｍｉｎ）未満である場合、延長された標的治療時間（ｔｔｒｅａｔｍｅｎｔ  ｎｅｗ）を提案及び／又は変更するステップをさらに含む、クレーム１〜１１７のいずれか一項に記載の方法。
【０１３４】
１１９．推定体積（Ｖｅｓｔ）が、最小体積（Ｖｍｉｎ）及び最大体積（Ｖｍａｘ）によって規定されそれらを含む範囲内ではない場合に、注入流体の変更された体積流量及び／又は変更された温度を提案及び／又は変更するステップをさらに含む、クレーム１〜１１８のいずれか一項に記載の方法。
【０１３５】
１２０．推定体積（Ｖｅｓｔ）が最小体積（Ｖｍｉｎ）超に変わるように注入流体の体積流量を増加させ、温度を下げるステップをさらに含む、クレーム１〜１１９のいずれか一項に記載の方法。
【０１３６】
１２１．推定体積（Ｖｅｓｔ）が、最小体積（Ｖｍｉｎ）及び最大体積（Ｖｍａｘ）によって規定されそれらを含む範囲内になるように、所望の最小体積（Ｖｍｉｎ）及び／又は所望の最大体積（Ｖｍａｘ）を変更するようにユーザに要求するステップをさらに含む、クレーム１〜１２０のいずれか一項に記載の方法。
【０１３７】
１２２．実際の体温（Ｔｂ  ａｃｔ）が
標的体温（Ｔｂ  ｔａｒ）よりも低い第１の下側閾値（Ｔｌ１）と、
標的体温（Ｔｂ  ｔａｒ）よりも高い第１の上側閾値（Ｔｕ１）と
の間であるかを評価するステップをさらに含む、クレーム１〜１２１のいずれか一項に記載の方法。
【０１３８】
１２３．実際の体温が第１の上側閾値（Ｔｕ１）を超える場合、実際の体温（Ｔｂ  ａｃｔ）を第１の上側閾値よりも低くするように、注入デバイス（２００）及び／又はさらなる体温適応デバイス（３００）の制御パラメータを操作又は変更するステップをさらに含む、クレーム２２に記載の方法。
【０１３９】
１２４．実際の体温が第１の下側閾値（Ｔｌ１）未満になった場合、実際の体温（Ｔｂ  ａｃｔ）が第１の下側閾値を超えるように、注入デバイス（２００）及び／又はさらなる体温適応デバイス（３００）の制御パラメータを操作又は変更するステップをさらに含む、クレーム２２又は２３に記載の方法。
【０１４０】
１２５．実際の体温（Ｔｂ  ａｃｔ）が
第１の下側閾値よりも低い第２の下側閾値（Ｔｌ２）と
第１の上側閾値よりも高い第２の上側閾値（Ｔｕ２）と
の間であるかを評価するステップをさらに含む、クレーム１〜１２４のいずれか一項に記載の方法。
【０１４１】
１２６．実際の体温（Ｔｂ  ａｃｔ）が第２の下側閾値（Ｔｌ２）未満になった場合、実際の体温（Ｔｂ  ａｃｔ）が少なくとも第２の下側閾値を超えるように、注入デバイス（２００）及びさらなる体温適応デバイス（３００）の制御パラメータを操作又は変更するステップをさらに含む、クレーム１２５に記載の方法。
【０１４２】
１２７．実際の体温（Ｔｂ  ａｃｔ）が第２の上側閾値を超える場合、実際の体温（Ｔｂ  ａｃｔ）を少なくとも第２の上側閾値よりも低くするように、注入デバイス（２００）及びさらなる体温適応デバイス（３００）の制御パラメータを操作又は変更するステップをさらに含む、クレーム２５又は２６に記載の方法。
【０１４３】
１２８．好ましくは、推定体積（Ｖｅｓｔ）が、最小体積（Ｖｍｉｎ）及び最大体積（Ｖｍａｘ）によって規定されそれらを含む範囲内ではない場合に、第１及び／若しくは第２の下側閾値並びに／又は第１及び／若しくは第２の上側閾値の異なる値（複数可）を提案並びに／又は変更するステップをさらに含む、クレーム１〜１２７のいずれか一項に記載の方法。
同じことが、好ましくは各々が対応する閾値を有する複数の段階での異なる推定体積に適用できる。
【０１４４】
１２９．第１の下側閾値及び第１の上側閾値は第１の標的体温許容誤差範囲（Ｒａ１）を規定し、及び／又は第２の下側閾値及び第２の上側閾値は第２の標的体温許容誤差範囲を規定する、クレーム１〜１２８のいずれか一項に記載の方法。
【０１４５】
１３０．好ましくは推定体積（Ｖｅｓｔ）が最大体積（Ｖｍａｘ）を超える場合、第１及び／又は第２の標的体温許容誤差範囲の増加を提案又は増加させるステップをさらに含む、クレーム１２９に記載の方法。
【０１４６】
１３１．好ましくは推定体積（Ｖｅｓｔ）が最小体積（Ｖｍｉｎ）を超える場合、第１及び／又は第２の標的体温許容誤差範囲の減少を提案又は減少させるステップをさらに含む、クレーム１〜１３０のいずれか一項に記載の方法。
【０１４７】
１３２．注入デバイス（２００）及び／又はさらなる体温適応デバイス（３００）の制御感度（Ｓ２００、Ｓ３００）を推定するステップをさらに含む、クレーム１〜１３１のいずれか一項に記載の方法。
【０１４８】
１３３．注入デバイス（２００）及び／又はさらなる体温適応デバイス（３００）の制御感度（Ｓ２００、Ｓ３００）は事前設定される、クレーム１３２に記載の方法。
【０１４９】
１３４．注入デバイス（２００）の第１の制御感度（Ｓ２００−１）で注入される流体の少なくとも１つの第１の推定体積部分（Ｖｅｓｔ  １）を推定するステップをさらに含み、注入デバイス（２００）の第２の制御感度（Ｓ２００−２）で注入される流体の少なくとも１つの第２の推定体積部分（Ｖｅｓｔ  ２）を推定するステップをさらに含み、第１の制御感度（Ｓ２００−１）は第２の制御感度（Ｓ２００−２）よりも高い、クレーム１〜１３３のいずれか一項に記載の方法。
【０１５０】
１３５．第１の推定体積部分（Ｖｅｓｔ  １）及び第２の推定体積部分（Ｖｅｓｔ  ２）の合計は推定体積（Ｖｅｓｔ）である、クレーム３４に記載の方法。
【０１５１】
１３６．コントローラ（１００）は、注入デバイス（２００）が第２の制御感度（Ｓ２００−２）で動作するか又は動作している期間中、さらなる体温適応デバイス（３００）を少なくとも部分的にだけ操作するか又は少なくとも部分的にだけ操作することを提案するステップをさらに含む、クレーム１３４及び１３５に記載の方法。
例えば、コントローラは、人工冷却治療の加温期間中に少なくとも部分的にパッド３００のみを操作できる。
【０１５２】
１３７．推定体積（Ｖｅｓｔ）が最大体積（Ｖｍａｘ）を超えている場合に、変更された推定体積（Ｖｅｓｔ  ｎｅｗ）が最大体積（Ｖｍａｘ）以下になるように、注入デバイス（２００）が第２の制御感度（Ｓ２００−２）で動作するか又は動作している期間中、さらなる体温適応デバイス（３００）を少なくとも部分的にだけ操作することを提案及び／又は少なくとも部分的にだけ操作するステップをさらに含む、クレーム３６に記載の方法。
【０１５３】
１３８．注入デバイス（２００）が第１の制御感度（Ｓ２００−１）で動作するか又は動作している期間中、少なくとも注入デバイス（２００）を操作することを提案及び／又は操作するステップをさらに含む、クレーム３４〜３６のいずれか一項に記載の方法。
例えば、コントローラは、人工冷却治療の冷却期間中に注入デバイス２００を操作することを提案できる。
【０１５４】
１３９．推定体積（Ｖｅｓｔ）が第１の推定体積部分（Ｖｅｓｔ  １）及び最大体積（Ｖｍａｘ）によって規定されそれらを含む範囲内にある場合に、注入デバイス（２００）が第１の制御感度（Ｓ２００−１）で動作するか又は動作している期間中、少なくとも注入デバイス（２００）を操作することを提案及び／又は操作するステップをさらに含む、クレーム１３８に記載の方法。
例えば、コントローラは、人工冷却治療の加温のためにパッド３００を使用している間、十分な流体が注入される予定である場合、注入流体で冷却することを提案又は冷却できる。
【０１５５】
１４０．推定体積（Ｖｅｓｔ）が第１の推定体積部分（Ｖｅｓｔ  １）を超えない場合、注入デバイス（２００）が第１又は第２の制御感度（Ｓ２００−１、Ｓ２００−２）で動作するか又は動作している期間中、さらなる体温適応デバイス（３００）を少なくとも部分的にだけ操作することを提案するステップをさらに含む、クレーム３９に記載の方法。
例えば、注入流体を用いた冷却が好ましいが、パッドによる加温及び冷却が推定体積Ｖｅｓｔを最大体積Ｖｍａｘ未満で保つために必要とされる。
【０１５６】
１４１．実際の体温（Ｔｂ  ａｃｔ）が第１の上側閾値を超える場合、少なくとも注入デバイス（２００）を操作することによって、患者を冷却するステップをさらに含む、クレーム１〜１４０のいずれか一項に記載の方法。
【０１５７】
１４２．実際の体温（Ｔｂ  ａｃｔ）が第１の下側閾値未満である場合に、さらなる適応デバイス（３００）を少なくとも操作することにより、患者を加温するステップをさらに含む、クレーム１〜１４１のいずれか一項に記載の方法。
【０１５８】
１４３．治療中患者を冷却するために必要とされる注入される冷却流体の体積（Ｖｅｓｔ  ｃｏｏｌ）を推定し、
及び／又は治療中患者を加温するために必要とされる注入される加温流体の体積（Ｖｅｓｔ  ｈｅａｔｉｎｇ）を推定するステップをさらに含む、クレーム１〜１４２のいずれか一項に記載の方法。
【０１５９】
１４４．冷却流体の体積（Ｖｅｓｔ  ｃｏｏｌ）及び加温流体の体積（Ｖｅｓｔ  ｈｅａｔｉｎｇ）は合わせて推定体積（Ｖｅｓｔ）になる、クレーム１４３に記載の方法。
【０１６０】
１４５．推定体積（Ｖｅｓｔ）が最大体積（Ｖｍａｘ）を超えているため、推定体積（Ｖｅｓｔ）が最大体積（Ｖｍａｘ）以下になるように推定体積（Ｖｅｓｔ）を変更する場合、例えば、加温期間中、実際の体温（Ｔｂ  ａｃｔ）が第１の下側閾値未満であれば、さらなる体温適応デバイス（３００）を少なくとも部分的にだけ操作することを提案及び／又は少なくとも部分的にだけ操作するステップをさらに含む、クレーム１４４に記載の方法。
例えば、コントローラは、人工冷却治療の加温期間中に少なくとも部分的にパッド３００のみを操作できる。
【０１６１】
１４６．推定体積（Ｖｅｓｔ）が冷却流体の体積（Ｖｅｓｔ  ｃｏｏｌ）及び最大体積（Ｖｍａｘ）によって規定されそれらを含む範囲内にある場合、例えば、冷却期間中、実際の体温（Ｔｂ  ａｃｔ）が第１の上側閾値を超えていれば、少なくとも注入デバイス（２００）を操作することを提案及び／又は操作するステップをさらに含む、クレーム１４１〜１４５のいずれか一項に記載の方法。
例えば、コントローラは、人工冷却治療の加温のためにパッド３００を使用している間、十分な流体が注入される予定である場合、注入流体で冷却することを提案又は冷却できる。
【０１６２】
１４７．推定体積（Ｖｅｓｔ）が第１の推定体積部分（Ｖｅｓｔ  １）を超えていない場合に、実際の体温（Ｔｂ  ａｃｔ）が第１の標的体温許容誤差範囲内でなければ、さらなる体温適応デバイス（３００）を少なくとも部分的にだけ操作することを提案又は少なくとも部分的にだけ操作するステップをさらに含む、クレーム１４１〜１４４のいずれか一項に記載の方法。
【０１６３】
１４８．治療を、
患者を標的治療体温（Ｔｂ  ｔａｒ  ｔｒｅａｔ）まで冷却する冷却段階（Ｃ）、
標的治療体温（Ｔｂ  ｔａｒ  ｔｒｅａｔ）が一定である保持段階（Ｈ）、及び／又は
治療終了時に患者を所望の標的体温Ｔｂ  ｔａｒまで復温する加温段階（Ｗ）
のうちの少なくとも１つを含む複数の治療段階に分割することを提案するステップをさらに含む、クレーム１〜１４７のいずれか一項に記載の方法。
【０１６４】
１４９．各段階（Ｃ、Ｈ、Ｗ）に対して以下のパラメータ、すなわち、
各段階（Ｃ、Ｈ、Ｗ）の間注入される推定体積（Ｖｅｓｔ  Ｃ、Ｈ、Ｗ）、
各段階（Ｃ、Ｈ、Ｗ）の間注入される最小体積（Ｖｍｉｎ  Ｃ、Ｈ、Ｗ）、
各段階（Ｃ、Ｈ、Ｗ）の間注入される最大体積（Ｖｍａｘ  Ｃ、Ｈ、Ｗ）、
各段階（Ｃ、Ｈ、Ｗ）の標的体温（Ｔｂ  ｔａｒ）よりも低い第１の下側閾値、
各段階（Ｃ、Ｈ、Ｗ）の標的体温（Ｔｂ  ｔａｒ）よりも高い第１の上側閾値、
各段階（Ｃ、Ｈ、Ｗ）の第１の下側閾値よりも低い第２の下側閾値、
各段階（Ｃ、Ｈ、Ｗ）の第１の上側閾値よりも高い第２の上側閾値、
各段階（Ｃ、Ｈ、Ｗ）の下側閾値（複数可）及び上側閾値（複数可）により規定される第１及び／若しくは第２の標的体温許容誤差範囲（複数可）、
各段階（Ｃ、Ｈ、Ｗ）の注入デバイス（２００）及び／若しくはさらなる体温適応デバイス（３００）の制御感度（Ｓ２００  Ｃ、Ｈ、Ｗ、Ｓ３００  Ｃ、Ｈ、Ｗ）、
各段階（Ｃ、Ｈ、Ｗ）の注入デバイス（２００）の第１の制御感度（Ｓ２００−１  Ｃ、Ｈ、Ｗ）で注入される流体の第１の推定体積部分（Ｖｅｓｔ  １）、並びに／又は
各段階（Ｃ、Ｈ、Ｗ）の注入デバイス（２００）の第２の制御感度（Ｓ２００−２  Ｃ、Ｈ、Ｗ）で注入される流体の第２の推定体積部分（Ｖｅｓｔ  ２  Ｃ、Ｈ、Ｗ）
のうちの少なくとも１つを導くステップをさらに含み、第１の制御感度（Ｓ２００−１  Ｃ、Ｈ、Ｗ）は第２の制御感度（Ｓ２００−２  Ｃ、Ｈ、Ｗ）よりも高い、クレーム１４８に記載の方法。
【０１６５】
１５０．段階（Ｃ、Ｈ、Ｗ）のうちの少なくとも１つの注入される最小体積（Ｖｍｉｎ  Ｃ、Ｈ、Ｗ）及び／又は最大体積（Ｖｍａｘ  Ｃ、Ｈ、Ｗ）はユーザによって事前設定される、クレーム１４９に記載の方法。
【０１６６】
１５１．段階（Ｃ、Ｈ、Ｗ）のうちの少なくとも１つの最小体積（Ｖｍｉｎ  Ｃ、Ｈ、Ｗ）及び最大体積（Ｖｍａｘ  Ｃ、Ｈ、Ｗ）を考慮して注入デバイス（２００）及び／又はさらなる体温適応デバイス（３００）を操作するステップをさらに含む、クレーム１４９又は１５０に記載の方法。
【０１６７】
１５２．段階（Ｃ、Ｈ、Ｗ）のうちの１つにおける注入は他よりも優先される、をさらに含む、クレーム１４９〜１５１のいずれか一項に記載の方法。
【０１６８】
１５３．注入デバイス（２００）は、好ましくは少なくとも１つのさらなる体温適応デバイス（３００）と一緒に、患者を冷却する冷却段階（Ｃ）の間少なくとも動作する、クレーム１４９〜１５２のいずれか一項に記載の方法。
【０１６９】
１５４．注入デバイス（２００）及び／又はさらなる体温適応デバイス（３００）の体温適応速度（Ｒ２００、Ｒ３００）を推定するステップをさらに含む、クレーム１〜１５３のいずれか一項に記載の方法。
【０１７０】
１５５．注入デバイス（２００）及び／又はさらなる体温適応デバイス（３００）の体温を上昇させる体温適応速度（Ｒ２００  ｈｅａｔ、Ｒ３００  ｈｅａｔ）を推定するステップをさらに含む、クレーム１〜１５４のいずれか一項に記載の方法。
【０１７１】
１５６．注入デバイス（２００）及び／又はさらなる体温適応デバイス（３００）の体温を低下させる体温適応速度（Ｒ２００  ｃｏｏｌ、Ｒ３００  ｃｏｏｌ）を推定するステップをさらに含む、クレーム１〜１５５のいずれか一項に記載の方法。
【０１７２】
１５７．注入デバイス（２００）及び／又はさらなる体温適応デバイス（３００）の体温適応速度（Ｒ２００、Ｒ３００）を考慮して、注入デバイス（２００）及び／又はさらなる体温適応デバイス（３００）を制御するステップをさらに含む、クレーム１５４〜１５６のいずれか一項に記載の方法。
【０１７３】
１５８．体温を上昇させる体温適応速度（Ｒ２００  ｈｅａｔ、Ｒ３００  ｈｅａｔ）及び体温を低下させる体温適応速度（Ｒ２００  ｃｏｏｌ、Ｒ３００  ｃｏｏｌ）を考慮して注入デバイス（２００）及びさらなる体温適応デバイス（３００）を制御するステップをさらに含む、クレーム１５４〜１５７のいずれか一項に記載の方法。
【０１７４】
１５９．注入デバイス（２００）及びさらなる体温適応デバイス（３００）の体温適応速度（Ｒ２００、Ｒ３００）を比較するステップをさらに含み、好ましくは、標的治療時間（ｔｔｒｅａｔｍｅｎｔ）の間患者に適用される最小体積（Ｖｍｉｎ）及び最大体積（Ｖｍａｘ）を考慮して、最も好ましくは推定体積（Ｖｅｓｔ）が最小体積（Ｖｍｉｎ）及び最大体積（Ｖｍａｘ）によって規定されそれらを含む範囲内になるように、大きな体温適応速度（Ｒ２００、Ｒ３００）を有する注入デバイス（２００）及びさらなる体温適応デバイス（３００）のうちの１つを選択的に操作するステップをさらに含む、クレーム１５４〜１５８のいずれか一項に記載の方法。
【０１７５】
１６０．注入デバイス（２００）及びさらなる体温適応デバイス（３００）の体温適応速度（Ｒ２００、Ｒ３００）の比較は、体温を上昇させる（Ｒ２００  ｈｅａｔ、Ｒ３００  ｈｅａｔ）ために、また体温を低下させる（Ｒ２００  ｃｏｏｌ、Ｒ３００  ｃｏｏｌ）ために実施される、クレーム１〜１５９のいずれか一項に記載の方法。
【０１７６】
１６１．好ましくは、標的治療時間（ｔｔｒｅａｔｍｅｎｔ）の間患者に適用される最小体積（Ｖｍｉｎ）及び最大体積（Ｖｍａｘ）を考慮して、最も好ましくは推定体積（Ｖｅｓｔ）が最小体積（Ｖｍｉｎ）及び最大体積（Ｖｍａｘ）によって規定されそれらを含む範囲内になるように、注入デバイス（２００）及び／又はさらなる体温適応デバイス（３００）の体温適応速度（Ｒ２００、Ｒ３００）を変更又は変更することを提案するステップをさらに含む、クレーム１〜１６０のいずれか一項に記載の方法。
【０１７７】
１６２．さらなる体温適応デバイス（３００）よりも注入デバイス（２００）の制御及び／又は注入デバイス（２００）よりもさらなる体温適応デバイス（３００）の制御を優先するステップをさらに含む、クレーム１〜１６１のいずれか一項に記載の方法。
【０１７８】
１６３．異なる治療様式で操作するステップをさらに含む、クレーム１〜１６２のいずれか一項に記載の方法。
【０１７９】
１６４．治療様式に応じた治療中の実際の体温（Ｔｂ  ａｃｔ）の制御精度を変更するステップをさらに含む、クレーム６３に記載の方法。
【０１８０】
１６５．制御精度は、第１及び／又は第２の標的体温許容誤差範囲を変えることによって変更される、クレーム６４に記載の方法。
【０１８１】
１６６．制御精度は、注入デバイス（２００）及び／又はさらなる体温適応デバイス（３００）の感度を変更することによって変更される、クレーム１６４又は１６５に記載の方法。
【０１８２】
１６７．高制御精度の治療様式において、体温は少なくとも注入デバイス（２００）を操作することにより制御され、低制御精度の様式において、体温は、好ましくは、主にさらなる体温適応デバイス（３００）を操作することによって制御され、高制御精度の治療期間中の制御精度は、低制御精度の期間中よりも高い、クレーム１６４〜１６６のいずれか一項に記載の方法。
【０１８３】
１６８．少なくとも２つの異なる体温適応デバイス（２００、３００）のうちの少なくとも１つの操作の前に、推定体積（Ｖｅｓｔ）が、最小体積（Ｖｍｉｎ）及び最大体積（Ｖｍａｘ）によって規定されそれらを含む範囲内であるかどうかを確認するステップをさらに含む、クレーム１〜１６７のいずれか一項に記載の方法。
【０１８４】
１６９．方法の操作中に推定体積（Ｖｅｓｔ）を推定するステップをさらに含む、クレーム１〜１６８のいずれか一項に記載の方法。
【０１８５】
１７０．推定体積（Ｖｅｓｔ）が、最小体積（Ｖｍｉｎ）及び最大体積（Ｖｍａｘ）によって規定されそれらを含む範囲内になければ、少なくとも２つの異なる体温適応デバイス（２００、３００）のうちの少なくとも１つの操作を変更するステップをさらに含む、クレーム１〜１６９のいずれか一項に記載の方法。
【０１８６】
開示される体温Ｔｂを制御する装置はコントローラを備えることができる。コントローラは、少なくとも２つの異なる体温適応手段又は体温適応デバイスを制御することにより体温Ｔｂを制御するように構成され得る。１つの体温適応デバイスは注入手段又は注入デバイスであることが好ましい。少なくとも１つのさらなる体温適応デバイスは、１つの体温適応デバイスとは異なることが好ましく、注入デバイスではないことがより好ましい。注入デバイスは、好ましくは、血液／血液製剤及び／若しくは流体注入システムを包含しており、並びに／又は好ましくは、例えば、生理食塩水若しくはリンゲル液のようなその他の平衡流体を注入する注入システムである。
【０１８７】
注入デバイスは、患者の血液回路に、体温Ｔｂ、より詳細には身体の血液とは異なる温度を有してもよいある体積の流体を追加することによって、体温を適応させるように構成される。血液及び追加の流体の混合により、患者の血液の温度、したがって体温の変化がもたらされる。注入デバイスは、注入される流体を提供する装置であってもよい。注入デバイスは、流体の体積流量及び／又は体温を変更するように構成できる。このようなデバイスは、例えば、特許出願の欧州特許出願公開第２５１４４５３号に開示されている。欧州特許出願公開第２５１４４５３号は、実際の温度及び患者の生理学的状態を表す少なくとも１つの追加のパラメータを考慮した装置を開示した。上述のパラメータを考慮したこの装置の開示は、参照することにより本願に組み込まれる。国際公開第２００９／０５６６４０号は、注入デバイスによって注入される流体の体積及び／又は温度制御を開示する。注入される流体の体積及び／又は温度制御はここで、参照することにより組み込まれる。欧州特許出願公開第２６９８１８２号は、注入デバイスにより注入される医療用液体の温度を調節する詳細な方法を開示する。この文書の請求項１及び明細書の関連する部分に明細に記される方法もまたここで参照することにより組み込まれる。
【０１８８】
少なくとも１つのさらなる体温適応デバイスは体積ニュートラルなデバイス又は手段であってもよい。すなわち、少なくとも１つのさらなる体温適応デバイスは、血液量を変えることなく体温を変えるように構成される。血液量は、患者の脈管内の流体体積として考えられる。体積ニュートラルとは、患者の体温を適応させる間、デバイスが追加の液体体積を患者に提供しないことを意味する。少なくとも１つのさらなる適応デバイスは熱交換に基づくデバイスであってもよい。熱交換は、皮膚で、中空器官において、及び／又は血管等を含む体腔で起こり得る。熱交換は、例えば、対流及び／又は伝導による熱伝達に基づいていてもよい。例えば、デバイスは、患者の表面、例えば、患者の皮膚と作用し合うことができ、又は血管内カテーテルは、カテーテル周りで流れる血液と熱を交換する熱交換器を備えることができる。本願との関係においては、熱交換は、注入手段が使用されるときに起こると考えられる流体の混合を含まない。
【０１８９】
熱交換に基づく体温適応デバイスは、好ましくは患者の皮膚に適用される温度適応パッド、冷却ベスト、被りもの、血管内カテーテル、ガス吸入、経鼻蒸発カテーテルシステム、血液温の体外適応、温度適応マットレス及び／又は毛布、温度適応テント、人工心肺、腹膜洗浄システム、血液及び流体加温器等のうちの少なくとも１つを含むことができる。
【０１９０】
コントローラは、注入デバイス及び少なくとも１つのさらなる体温適応デバイスを同時に制御することにより体温Ｔｂを制御するように構成され得る。コントローラは、好ましくは、注入デバイス及び少なくとも１つのさらなる体温適応デバイスを選択的に又は同時に操作するように構成される。
【０１９１】
注入デバイス及び／又はさらなる体温適応デバイスの操作は、当該手段の１つ又は複数のパラメータを調節することを含む。注入デバイスのパラメータは、注入パラメータ、例えば、注入される液体の温度及び／又は体積流量である。少なくとも１つのさらなる体温適応デバイスのパラメータは、例えば、熱交換器の表面温度である。この表面温度は、例えば熱交換器内の流体流れを介して、間接的に制御され得る。別のパラメータは、さらなる体温適応デバイスの関係する／能動的な表面であり得る。パラメータの適応は、注入デバイス及び／又はさらなる体温適応デバイスのさらなるコントローラ（複数可）と連携して行うこともできる。すなわち、コントローラは、制御信号をデバイスに提供することによって少なくとも２つの体温適応デバイスの操作を連続的に制御する能力を有する。コントローラは選択的に体温適応デバイスのうちの１つのみを操作することを選択できるが、同時に両方のデバイスを制御するように構成され得る。制御信号は、少なくとも２つの体温適応手段のアクチュエータが作動するような任意の種類の好適な信号であってもよい。コントローラは、注入デバイス及び／又は少なくとも１つのさらなる体温適応デバイスを操作して、実際の体温Ｔｂ  ａｃｔを標的又は公称又は設定値の体温Ｔｂ  ｔａｒ近くで維持できる。
【０１９２】
コントローラは、標的治療時間の間患者に適用される最小体積及び最大体積を考慮して注入デバイス及び／又はさらなる体温適応デバイスを操作するように構成され得る。コントローラは、何が適当であると考えられるかによって注入デバイス及びさらなる手段を使用することにより、温度を適応させることができる。例えば、注入体積が臨界であり、さらなる適応デバイスが適当であると考えられる場合、少なくとも主にさらなる適応デバイスを使用できる。そうする際、体積は臨界レベル未満で維持され、患者の苦痛は少なくなり得る。注入体積が最大体積Ｖｍａｘと近い場合でも、治療の緊急停止を避けることができる。最小体積Ｖｍｉｎ及び／又は最大体積Ｖｍａｘは、好ましくは準備中に使用者により規定できる。代替的に又は加えて、最小体積Ｖｍｉｎ及び／又は最大体積Ｖｍａｘは、例えば、マシンの製造元又はその他の当業者、例えば、医師によって事前設定できる。最小体積Ｖｍｉｎ及び／又はＶｍａｘのための値は、治療期間中に変わり得るか、又は変えられ得る。
【０１９３】
コントローラは、標的治療時間ｔｔｒｅａｔｍｅｎｔ中ずっと又は残りの標的治療時間ｔｔｒｅａｔｍｅｎｔの間、患者に適用／注入される推定体積Ｖｅｓｔを推定又は算出又は導くように構成される。すなわち、コントローラは、治療前に、標的治療時間全体の以下でさらに論じられる所望の温度プロファイルに対する推定体積を推定するように構成され得る。コントローラは、治療中に、例えば、初期推定値が患者の治療に対する反応と一致していないため、それまでに実際の注入体積と推定体積との間に差が出る場合に、推定体積Ｖｅｓｔを推定するか又は推定体積のＶｅｓｔの推定値を更新するようにさらに構成される。推定値は、選択した治療様式、患者の体重、注入される流体の温度、ボディマス指数のうちの１つ又は複数の、好ましくはすべてのパラメータに基づくことができる。最終的には、標的体温プロファイルもまた推定値の基礎を成し得る。治療前に、コントローラは、前述のパラメータの標的又は仮定初期値を使用して初期推定体積Ｖｅｓｔを推定できる。治療開始後、コントローラは、パラメータ及び推定体積の実際の値と初期の又は現在の推定値とを比較するように構成され得る。（有意な）差が、例えば治療に対する患者の反応及び／又はユーザ入力により生じると、コントローラは推定体積を更新／適応できる。コントローラは、定期的に、より好ましくは進行中に推定値を更新するように構成されることが好ましい。コントローラは、更新された推定値から制御信号を提案及び／又は導くように構成され得る。すなわち、コントローラは、推定体積又は推定体積に影響を及ぼすパラメータの少なくとも１つの更新された推定値に基づいて少なくとも２つの異なる体温適応デバイスを制御できる。装置は、コントローラ操作及びコントローラにより導かれた推定値がユーザ入力により無効にできるように構成される。例えば、ユーザは、患者の全身の生理学的状態を改善するために注入される最小体積を規定できる。例えば、適用される有効最大体積は傷害の程度に応じて臨床スタッフによって変えることができるが、最小体積は失血に苦しんだ患者が必要とし得る。注入される推定体積等の推定値は、例えば、さまざまな体重の患者、ＢＭＩ、注入される流体の温度、及び異なる標的体温プロファイルを用いた臨床研究から得た実験データから導くことができる。例えば、推定値はメモリに格納され得る。コントローラは、例えば、多次元マトリックスとして構成されたルックアップテーブル又はデータ欄内の推定値を調べるように構成され得る。その後、ユーザは、患者の特定の値及び所望の治療プロファイルを入力でき、対応するＶｅｓｔがテーブル／マトリックスで調べられるようになる。例えば、原則として、約４℃の冷たさの注入流体を約３０ｍｌ／ｋｇ／時で注入した場合には、最大３．２℃／時の冷却するための体温適応速度を得ることができる。特定の標的体温で患者を保持するために、また治療終了時に患者を正常体温に戻すために、同様の実験で得られた関係を真似ることができる。
【０１９４】
コントローラは、注入デバイス及び／又はさらなる体温適応デバイスの体温適応速度を推定するように構成され得る。体温適応速度は、ユーザ入力、例えば、注入デバイス（例えば、流体温度）及び／若しくは少なくとも１つのさらなる体温適応デバイス（例えば、パッドの表面温度）の所望の設定に基づいて、並びに／又はマシンのコアデータに基づいて、例えば市販の公知の製品用のルックアップテーブルを使用して推定され得る。体温適応速度は、少なくとも２つの異なる体温適応デバイスのそれぞれの応答性の尺度である。大きな体温適応速度は、実際の体温の変化に対する迅速な制御応答を意味する。制御応答は式により説明できる。
（１）Ｒ＝ＤＥＬＴＡ  Ｔｂ  ａｃｔ／ＤＥＬＴＡ  ｔｔｒｅａｔｍｅｎｔ
式中、
Ｒは体温適応速度であり、
ＤＥＬＴＡ  Ｔｂ  ａｃｔは体温の実際の変化であり、
ＤＥＬＴＡ  ｔｔｒｅａｔｍｅｎｔは、体温の変化が起こった期間である。
【０１９５】
或いは、ユーザは体温適応速度を手動で入力してもよく、又は値は製造元により事前設定されていてもよい。コントローラは、少なくとも２つの体温適応デバイスの体温を低下させる体温適応速度を推定するように構成される。例えば、冷却のための体温適応速度は、注入手段による加温よりもかなり高くなり得る。コントローラは、好ましくは、標的治療時間ｔｔｒｅａｔｍｅｎｔの間患者に適用される最小体積Ｖｍｉｎ及び最大体積Ｖｍａｘを考慮して、最も好ましくは推定体積Ｖｅｓｔが最小体積Ｖｍｉｎ及び最大体積Ｖｍａｘによって規定されそれらを含む範囲内になるように、注入デバイス及び／又はさらなる体温適応デバイスを変更又は変更することを提案するように構成され得る。例えば、適応速度は、流体温度及び／又はパッドの表面の温度を変えることによって変更できる。良好な制御品質を有しながら体積を最適化するための２つの手段があり得る。
１．最良の適応速度を有する体温適応デバイスを用いること、及び
２．必要とされるか又は望まれる場合、体温適応デバイスの適応速度を適応させること。
【０１９６】
本発明は、以下に記述される詳細な説明と、単なる例示として与えられるため、本発明を限定しない添付の図面とによって、より完全に理解される。
【図面の簡単な説明】
【０１９７】
【図１】コントローラ１００を有する装置の概略図である。
【図２】標的体温プロファイルＴｂ  ｔａｒ  ｐｒｏｆを示すグラフである。
【図３】治療中の実際の体温Ｔｂ  ａｃｔの経過を示すグラフである。
【図４】図３に示す冷却段階Ｃ中の実際の体温Ｔｂ  ａｃｔの経過を示すグラフである。
【図５】図３に示す維持段階Ｈ中の実際の体温Ｔｂ  ａｃｔの経過を示すグラフである。
【図６】図３に示す復温段階Ｗ中の実際の体温Ｔｂ  ａｃｔの経過を示すグラフである。
【図７】準備及び／又は操作中のプロセスを示すフローチャートである。
【図８】体積最適化ステップＳ３０中のプロセスを示すフローチャートである。
【図９】注入体積に対するプロセスステップＳ３３１、Ｓ３３３、又はＳ３３４の影響を示す図である。
【図１０】注入体積に対するプロセスステップＳ３３２の影響を示す図である。
【図１１】注入体積に対するプロセスステップＳ３３３、Ｓ３３４、又はＳ３３５の影響を示す図である。
【図１２】注入体積に対するプロセスステップＳ３３５の影響を示す図である。
【図１３】推定体積の配分を示す図を示す。
【図１４】共有構成要素を有する装置の概略図である。
【図１５】共有構成要素を有する装置の概略図である。
【発明を実施するための形態】
【０１９８】
図面は人工冷却のための温度プロファイルを示すが、一般に同じ効果が人工加温にも当てはまることに留意されたい。明示的に冷却について述べていても、さらなる考察は人工加熱もまた包含する。
【０１９９】
図１はコントローラ１００を有する装置の概略図である。ここで、コントローラ１００は、注入デバイス２００と、ここではハウジング３８０及びパッド３７０を備えた温度適応パッドとして構成された少なくとも１つのさらなる体温適応デバイス３００との共通のコントローラ１００である。注入デバイス２００は、注入デバイスハウジング２８０と、注入デバイスハウジング２８０に流体接続された注入針２７０とを備えることができる。注入デバイス２００及びパッド３００のさらなる構成要素はここでは図示されていない。コントローラ１００は、ここでは点線で示されている制御信号を注入デバイス２００及びパッド３００に提供するように構成され得る。注入ハウジング２８０及びハウジング３８０は、装置のハウジング８００内に配置され得る。しかしながら、注入デバイス２００及び／又は少なくとも１つのさらなる体温適応手段３００は、例えば有線及び／又は無線でコントローラ１００に操作可能に接続されていれば、装置のハウジング８００内に提供されなくてもよいことに注意する。或いは、コントローラ１００は、注入ハウジング２８０及びパッド３００のハウジング内に配置され得る。注入デバイス２００及び／又は少なくとも１つのさらなる体温適応手段３００は、好ましくは少なくとも体温の制御を支援するように構成されたサブコントローラを有し得る。
【０２００】
図２は、標的体温プロファイルＴｂ  ｔａｒ  ｐｒｏｆ対時間を示す。標的体温プロファイルＴｂ  ｔａｒ  ｐｒｏｆは、所望の標的体温の経過と考えることができる。ここで、治療開始から終了にわたる、すなわち、治療時間ｔｔｒｅａｔｍｅｎｔにわたる所望の標的体温Ｔｂ  ｔａｒのプロファイルを示す。体温の経過、（治療）時間にわたる体温の経過、及び体温プロファイルは、体温の対応する標的又は実際の値の同義語と考えられる。図１は人工冷却のための典型的な治療構成を示す。例えば、患者は最初は３７℃の実際の初期体温Ｔｂ  ｉｎを有することができる。
【０２０１】
冷却はｔ＝０秒に開始され、正常な又は初期の体温Ｔｂ  ｉｎから所望の標的治療体温Ｔｂ  ｔａｒ  ｔｒｅａｔまで患者を冷却する。第１の又は冷却期間ｔＣ後、患者は標的治療体温Ｔｂ  ｔａｒ  ｔｒｅａｔ、例えば３４℃まで冷却されている。この標的体温は期間ｔＨ、好ましくは例えば約０．３℃の特定の許容誤差範囲内の誤差範囲で例えば５又は１０時間の間維持される。温度は閉ループ制御を使用して比較的一定で保持されてもよい。コントローラは、冷たい又は温かい流体を、好ましくは断続的に注入するように構成され得る。次に患者は治療終了時に、第２の又は復温期間ｔＷ中、例えば３時間、ここでは例えば３７℃の初期体温Ｔｂ  ｉｎと同一温度である標的体温Ｔｂ  ｔａｒ  ｅｎｄまで復温される。治療は、複数の治療段階Ｃ、Ｈ、Ｗに分割できる。段階は例えば、
患者を標的治療体温Ｔｂ  ｔａｒ  ｔｒｅａｔまで冷却する冷却段階Ｃ、
標的治療体温Ｔｂ  ｔａｒは標的治療体温Ｔｂ  ｔａｒ  ｔｒｅａｔとほぼ同一である保持段階Ｈ、及び／又は
患者を所望の体温まで復温する加温段階Ｗ
であってもよい。
【０２０２】
「Ｃ」、「Ｈ」、及び「Ｗ」等の接尾文字を含むパラメータ及び値は、対応する治療段階Ｃ、Ｈ、Ｗのために規定されたパラメータ及び値を意味する。全治療時間は
（２）ｔｔｒｅａｔｍｅｎｔ＝ｔＣ＋ｔＨ＋ｔＷ
として算出できる。
式中、
ｔＣは冷却期間であり、
ｔＨは、体温が好ましくは比較的一定の温度で維持される期間であり、
ｔＷは復温期間である。
【０２０３】
治療中の注入される最大体積は下記式で算出できる。
（３）Ｖｍａｘ＝ＶＣ＋ＶＨ＋ＶＷ＋Ｐ
式中、
ＶＣは、患者を標的体温まで冷却するために必要とされる注入流体の体積であり、
ＶＨは、所望の好ましくは比較的一定の標的体温で体温を維持するために必要とされる注入流体の体積であり、
ＶＷは、治療終了時に患者を所望の標的体温（例えば、３７℃）まで復温するために必要とされる注入流体の体積であり、
ＶＰは、緩衝又は補足体積である。
【０２０４】
最大体積Ｖｍａｘは、多くの場合、１日当たりの最大体積として述べられ、例えば、１日当たり６リットルである。補足体積ＶＰは好ましくは復温が速すぎる場合に使用される。すると患者は、最大体積Ｖｍａｘを超えることなく注入流体を用いて冷却され得る。補足体積は、可能な最も低い温度、一般的に約４℃である注入流体であることが好ましい。補足体積ＶＰの値は、事前設定された値、好ましくは事前設定されたマシンの値であってもよい。補足値ＶＰを使用して、患者の体温のオーバーシュートを回避又は低減できる。オーバーシュートとは、治療終了時の患者の体温が治療終了で意図されていた標的体温よりも高くなることを意味する（図３参照）。オーバーシュートは重篤な悪影響にもつながり、人工冷却の治療結果を悪化させることがある。コントローラは、以下のパラメータ、すなわち、治療に必要とされる推定体積Ｖｅｓｔ、最小推定体積Ｖｍｉｎ  ｅｓｔ、最大体積Ｖｍａｘ  ｅｓｔ、時間ｔまでの推定体積Ｖｅｓｔ  ｔのうちの少なくとも１つを推定するように構成され得る。コントローラは、接尾文字「ｅｓｔ」を用いて示されるさらなるパラメータを推定するように構成され得る。
【０２０５】
図３及び図４に示すように、冷却段階Ｃの間、コントローラ１００は、少なくとも２つの異なる体温適応デバイス２００、３００を両方が好ましくは最大体温適応（すなわち、冷却）速度で動作するように制御できる。コントローラ１００は、ここで、好ましくは実際の体温（Ｔｂ  ａｃｔ）が標的許容誤差範囲Ｒａ１ｃ内でないように制御するように構成される。その代わりに、コントローラ１００は、連続的に患者を、好ましくは最高速度で冷却するように少なくとも２つの異なる体温適応デバイス２００、３００を操作する。標的許容誤差範囲Ｒａ１ｃを規定しないことにより、コントローラは、以下でさらに説明される断続的な操作ができない。コントローラは、できる限り速く患者を冷却するために体温適応デバイスを操作するように構成され得る。図４には、患者の実際の体温に対するさまざまな体温曲線が示される。患者が注入デバイス２００のみにより冷却されたと仮定した実際の体温が一点鎖線として示される。点線は、身体がさらなる体温適応デバイス、ここでは血管内カテーテル３００のみを使用して冷却された場合の実際の体温の体温曲線を示す。グラフは、大きな体温適応速度Ｒ２００を有する注入デバイス２００が、注入デバイス２００の速度Ｒ２００よりも小さな適応速度Ｒ３００を有するカテーテル３００よりも迅速に患者を冷却するように構成されることを示す。注入デバイス２００及びカテーテル３００の両方の組み合わせは、患者を初期体温Ｔｂ  ｉｎから所望の標的治療体温Ｔｂ  ｔａｒ  Ｈまで冷却するのに必要とされる最良の全体冷却速度及び最短の冷却期間ｔＣをもたらす。
【０２０６】
図３及び図５に示されるように、体温は期間ｔＨの間、所望の標的治療体温Ｔｂ  ｔａｒ  Ｈで維持できる。より正確には、体温は、期間ｔＨの間、対応する第１の上側閾値Ｔｕ１Ｈ及び対応する第１の下側閾値Ｔｌ１Ｈにより規定される第１の体温許容誤差範囲Ｒａ１Ｈ内で保持される。実際の体温が第１の体温許容誤差範囲内である限り、少なくとも２つの異なる体温適応デバイス２００、３００はいずれも動作しないことが好ましい。実際の体温が第１の体温許容誤差範囲Ｒａ１Ｈ内でなげれば、コントローラ１００は、実際の体温を第１の体温許容誤差範囲Ｒａ１Ｈに戻すために、少なくとも２つの異なる体温適応デバイス２００、３００のうちの少なくとも１つを能動的に操作する。図４と同様に、点線はカテーテル３００のみが動作している場合の体温曲線を示し、一点鎖線は注入デバイス２００操作のみの場合の体温曲線を示す。両方の適応デバイスの操作は、体温が１つのみの体温適応手段２００、３００の操作と比べて比較的短時間で確実に第１の体温許容誤差範囲内の値に達する最良の制御挙動を示す。図５には、第１の下側閾値よりも低い第２の下側閾値Ｔｌ２Ｈ及び第１の上側閾値よりも高い第２の上側閾値Ｔｕ２Ｈも示される。図５には、実際の体温が、維持期間中に対応する第２の下側閾値Ｔｌ２Ｈ及び対応する第２の上側閾値Ｔｕ２Ｈによって規定される第２の体温許容誤差範囲Ｒａ２Ｈ内にない場合は図示されていない。その場合、コントローラは、実際の体温を素早く第１の体温許容誤差範囲内の値に戻すために、常に注入手段２００及びカテーテル３００の両方を操作してもよい。体温適応速度は、最高体温適応速度、例えば、毎時１℃未満、好ましくは毎時０．５℃未満、最も好ましくは毎時約０．３℃未満に制限されてもよい。
【０２０７】
次に、復温期間ｔＷについて図３及び図６を使用してさらに説明する。上で既に示された通り、復温中は患者が熱くなりすぎないように注意が払われるべきである。いかなるオーバーシュートも避けるか又は最小限まで低減すべきである。したがって、復温段階Ｗのための第１の上側閾値Ｔｕ１Ｗ及び／又は第２の上側閾値Ｔｕ２Ｗは、標的体温Ｔｂ  ｔａｒ  Ｗに近いか又は等しくなるように選択してもよい。すなわち、第１の体温許容誤差範囲Ｒａ１Ｗ及び／又は第２の体温許容誤差範囲Ｒａ２Ｗはここで、標的体温Ｔｂ  ｔａｒ  Ｗ未満の範囲を含むことができる。一般的な制御挙動及び制御設計は、維持段階Ｈの制御挙動及び制御設計と似ているが、標的体温Ｔｂ  ｔａｒ  Ｗが好ましくは、治療終了時へと進むにつれ標的体温Ｔｂ  ｔａｒ  ｅｎｄへと徐々に増加することが異なる。
【０２０８】
したがって、一般的に言えば、標的体温プロファイルＴｂ  ｔａｒ  ｐｒｏｆは、精度が比較的向上したか若しくは体温許容誤差範囲が比較的増大したゾーン若しくはセクション若しくは段階、又は精度が比較的低下したか若しくは体温許容誤差範囲が比較的減少したゾーン若しくはセクションを含み得る標的治療時間にわたる経過である。
【０２０９】
上述の制御設計は、下表１に示されるさまざまなシナリオによりさらに説明できる。
【表１】
2017511244.tif 000003
【０２１０】
図７は準備及び／又は操作中のプロセスを示すフローチャートである。ステップＳ１０では、入力パラメータを設定できる。入力パラメータは、臨床スタッフにより提供されるパラメータであってもよい。入力パラメータは以下のパラメータ、すなわち、注入流体の最小体積Ｖｍｉｎ及び最大体積Ｖｍａｘ、ボディマス指数、並びに体重のうちの少なくとも１つを含み得ることが好ましい。加えて、所望の標的体温プロファイルＴｂ  ｔａｒ  ｐｒｏｆを説明するパラメータを使用してもよい。
【０２１１】
装置は、所望の標的治療体温Ｔｂ  ｔａｒ  ｔｒｅａｔ及び所望の全治療時間を含む入力パラメータに基づいて所望の標的体温プロファイルＴｂ  ｔａｒ  ｐｒｏｆを選択又は提案するように構成され得る。標的体温プロファイルＴｂ  ｔａｒ  ｐｒｏｆの冷却段階Ｃ、保持段階若しくは維持段階Ｈ、及び／又は加温段階Ｗの標的値は、その他の入力パラメータに基づいて装置により提案されてもよい。或いは、これらの値は、所望の標的体温プロファイルＴｂ  ｔａｒ  ｐｒｏｆを規定するために臨床スタッフによって選択されてもよい。複数の異なる段階Ｃ、Ｈ、Ｗの標的値の選択は、臨床研究中に得たデータに基づき、患者の生理学的状態に応じて適応されてもよい。
【０２１２】
臨床スタッフは、装置の操作様式を選択できる。１つの第１の治療様式は、高制御精度の様式であり得る。これは、デバイスが少なくとも、好ましくは臨床スタッフが選択したいくつかの段階で、別の様式よりも比較的小さな許容誤差範囲Ｒａ内で体温を制御し、流体体積の体積は比較的小さいことを意味する。向上した制御精度の様式において、コントローラは、少なくとも注入デバイス２００を操作することにより体温を制御する。詳細には、人工冷却の間、注入デバイスは、比較的大きな体温適応速度Ｒ２００及び比較的高い制御感度を提供する。すなわち、この様式では標的体温プロファイルＴｂ  ｔａｒ  ｐｒｏｆにできる限り一致すべきである。
【０２１３】
臨床スタッフが選択可能な第２の様式では、コントローラ１００は高制御精度の第１の様式と比べて相対的に低い制御精度で動作する。コントローラ１００は、好ましくは、主にさらなる体温適応デバイス３００を操作することによって、体温を制御する。さらなる体温適応デバイス３００は注入体積ニュートラルであるため、注入される注入流体の体積は第１の様式と比べて比較的少なくてもよい。他方では、デバイス３００は、注入デバイス２００の値と比べて比較的小さな体温適応速度Ｒ３００及び比較的低い制御感度を提供する。したがって、第２の様式の制御精度は第１の様式と比べて低い。
【０２１４】
図７に示されるステップＳ２０では、コントローラ１００は、臨床スタッフにより提供された入力データを検証する。コントローラは、複数の段階Ｃ、Ｈ、Ｗそれぞれに必要とされる体積ＶＣ  ｅｓｔ、ＶＨ  ｅｓｔ、ＶＷ  ｅｓｔを推定できる。値は、Ｖｅｓｔの推定について上述したように、臨床研究中に得られ、装置に格納されたデータに基づいて推定される。妥当性チェックの出力は、臨床スタッフに提供され、例えば、ヒューマンマシンインタフェースに表示される。
【０２１５】
最大体積Ｖｍａｘが冷却期間中に注入される推定体積ＶＣ  ｅｓｔ未満である場合、さらなる体温適応手段３００は所望の標的体温プロファイルＴｂ  ｔａｒ  ｐｒｏｆを提供できるかどうかを検証できる。装置はその後、治療が注入によって達成できないというフィードバックを提供できる。さらに、コントローラは、さらなる体温適応手段３００が好適であるかどうかを知らせることができる。
【０２１６】
最大体積Ｖｍａｘが推定体積ＶＣ  ｅｓｔよりも大きい場合、また冷却期間に注入される推定体積ＶＣ  ｅｓｔ及び維持期間中に注入されるＶＨ  ｅｓｔの合計が最大体積Ｖｍａｘよりも大きい場合、標的パラメータの適応が要求され得る。装置は、患者は注入により冷却できるが、標的治療体温は患者がその体温で維持されるべき期間中ずっと維持することができないという警告を提供できる。注入を用いた復温は可能でない場合がある。装置は、注入される体積が最適化できるかどうかを検証でき、及び／又は注入される体積の最適化を提案できる。
【０２１７】
最大体積Ｖｍａｘが推定体積ＶＣ  ｅｓｔ、ＶＨ  ｅｓｔ、及びＶＷ  ｅｓｔの合計よりも大きい場合、また最大体積ＶｍａｘがＶＣ  ｅｓｔ、ＶＨ  ｅｓｔ、ＶＷ  ｅｓｔ、及び緩衝Ｐの合計よりも小さい場合、標的パラメータの適応が要求され得る。装置は、注入される体積が最適化できるかどうかを検証でき、及び／又は注入される体積の最適化を提案できる。
【０２１８】
最大体積Ｖｍａｘが推定体積ＶＣ  ｅｓｔ、ＶＨ  ｅｓｔ、ＶＷ  ｅｓｔ、及び緩衝Ｐの合計である治療のための推定体積よりも大きい場合、治療は遅滞なく開始可能である。注入される体積は臨界でないように推定され、一切の合併症が予想されない。標的値のさらなる適応は可能であってもよいが、必要とはされない。例えば、臨床スタッフが注入される体積を最適化することを望んだ場合、装置は、注入される体積が最適化できるかどうかを検証でき、及び／又は注入される体積の最適化を提案できる。
【０２１９】
ステップＳ２０の間、コントローラは、所望の標的体温プロファイルＴｂ  ｔａｒ  ｐｒｏｆは現在の設定で達成されるかどうか、及び／又は最適化が必要かどうかを確認する。所望の標的体温プロファイルは現在の設定（Ｖｍａｘ＞Ｖｅｓｔ）で達成可能な場合、コントローラは直接ステップＳ４０に進むことができる。ステップＳ２０の間、コントローラ１００が注入される体積の最適化が必要であると判断した場合及び／又は臨床スタッフが所望する場合、注入される体積の最適化をステップＳ３０で実施できる。コントローラ１００が所望の標的体温プロファイルＴｂ  ｔａｒ  ｐｒｏｆは事前設定されたパラメータ設定では達成できないと判断した場合、コントローラはパラメータ設定の変更を提案できる。その後、臨床スタッフは標的パラメータのうちの少なくとも１つを変更するかどうか決定できる（図７に示す）。臨床スタッフが標的パラメータのうちの少なくとも１つを変更すると決定した場合、コントローラはステップ１０及び／又はステップ２０に進むことができる。
【０２２０】
パラメータ設定が所望の標的体温プロファイルに従う治療を実施するのに適していないと考えられる場合、また臨床スタッフが標的パラメータのうちの少なくとも１つを変更しないと決定した場合、コントローラは治療をいずれにせよ継続すべきかどうか臨床スタッフに尋ねることができる。臨床スタッフが治療を実施しないと決定した場合、処置を停止する。臨床スタッフが、所望の標的体温を達成するのに適していないと考えられるパラメータセットを用いて治療を開始すると決定した場合、コントローラは、ステップＳ３０で規定された体積の最適化を実施するように構成され得る。体積最適化ステップＳ３０を実施した後、コントローラはステップＳ４０で治療を開始する。
【０２２１】
いったん治療を開始すると、コントローラ１００は、治療の実際の値／パラメータが推定値／パラメータと一致しているかどうかを断続的又は連続的に検証する。例えば、コントローラは、既に患者に注入された実際の体積と所与の時間までに注入されるべき推定体積を比較することができる。同様に、複数の治療段階のそれぞれにおける推定値も対応する実際の値と比較できる。推定値が測定された実際の値とは異なる場合、推定値は、装置に格納された臨床研究から入手可能なデータ及び測定された実際の値に基づいて変更できる。次いで、コントローラは、規定された標的体温プロファイルに従う治療が変更された推定値で達成可能であるかどうかを検証するように構成され得る。規定された標的体温プロファイルが、ステップＳ５０の間に得た変更された推定値を用いて達成できる場合、治療は、ステップＳ５０を連続的に実施しながら、標的パラメータの設定を変更することなく継続できる（ステップＳ６０）。
【０２２２】
規定された標的体温プロファイルが、ステップＳ５０の間に得た変更された推定値を用いて達成できない場合、コントローラは臨床スタッフに、標的パラメータを変更するように要求することができるか、又は変更された標的パラメータを提案できる。次いで、臨床スタッフは標的パラメータの更新を決定できる。臨床スタッフが標的パラメータの更新を決定した場合、コントローラは上記で説明したステップＳ１０及びＳ２０に進むことができる。臨床スタッフが標的パラメータを変更しないと決定した場合、コントローラは臨床スタッフに、治療を現在の標的パラメータで継続すべきかどうかを意見するように要求できる。臨床スタッフが治療を継続しないと決定した場合、ステップＳ７０で治療を停止する。さもなければ、コントローラは再び注入体積最適化ステップＳ３０を実施できる。治療は継続される（ステップＳ４０）。
【０２２３】
図８は、体積最適化ステップＳ３０中のプロセスを示すフローチャートである。ステップＳ３１では、推定体積Ｖｅｓｔを算出できる。コントローラは、ステップＳ３１中に標的体温プロファイルを提案するように構成され得る。提案された標的体温プロファイルが許容可能であれば、コントローラは治療を開始又は継続できる（ステップＳ４０）。標的体温プロファイルが許容可能でなければ、コントローラは、注入される推定体積を最小体積Ｖｍｉｎ及び／又は最大体積Ｖｍａｘと比較することができる。推定体積Ｖｅｓｔが最小体積Ｖｍｉｎ未満であれば（Ｓ３２１）、コントローラは、下記で詳細に説明されるステップＳ３３１〜Ｓ３３４のうちの少なくとも１つを提案又は実施するように構成され得る。推定体積Ｖｅｓｔが最小体積Ｖｍｉｎより多く、また推定体積Ｖｅｓｔが最小体積Ｖｍｉｎ未満であれば、コントローラは、下記で説明されるステップＳ３３２〜Ｓ３３５のうちの少なくとも１つを提案又は実施するように構成され得る。推定体積Ｖｅｓｔが最大体積Ｖｍａｘより多ければ、コントローラ１００は、ステップＳ３３２〜Ｓ３３５のうちの少なくとも１つを実施するように構成され得る。ステップＳ３３１〜Ｓ３３５で規定された尺度を同時に適用してもよい。ステップＳ３３１〜Ｓ３３５の尺度により標的パラメータのうちの少なくとも１つに変化が生じ得る。
【０２２４】
ステップＳ３４では、コントローラは、変更した標的パラメータ（複数可）に基づいて変更した推定体積Ｖｅｓｔ  ｎｅｗを算出できる。コントローラ１００は、変更された推定体積Ｖｅｓｔ  ｎｅｗが、最小体積Ｖｍｉｎ及び最大体積Ｖｍａｘによって規定されそれらを含む範囲内であるかどうかをステップＳ３４で検証できる。Ｖｅｓｔ  ｎｅｗが当該範囲内であれば、コントローラ１００は、結果として得られる（最終的な）新しい標的体温プロファイルを臨床スタッフに提案できる。標的体温プロファイルが許容可能であれば、治療は（新たに）規定された標的体温プロファイルを用いて開始又は継続できる（ステップＳ４０）。プロファイルが臨床スタッフにより許容可能でないと判断された場合、コントローラはステップＳ３２２に進む。変更された推定体積Ｖｅｓｔ  ｎｅｗが、最小体積Ｖｍｉｎ及び最大体積Ｖｍａｘによって規定されそれらを含む範囲内でなければ、コントローラはステップＳ３２１又はＳ３２３に進むことができる。ステップＳ３３１〜Ｓ３３５は体積適応尺度である。コントローラ１００は、治療様式、患者の体重、注入される流体の温度、ボディマス指数、所望の標的体温プロファイルＴｂ  ｔａｒ  ｐｒｏｆ  ｄｅｓｉｒｅｄのうちの１つ又は複数の、好ましくはすべてのパラメータに基づいて、新たな標的体温プロファイルＴｂ  ｔａｒ  ｐｒｏｆ  ｎｅｗを提案及び／又は変更するように構成され得る。
【０２２５】
図９に示すように、コントローラ１００は、推定体積Ｖｅｓｔが最小体積Ｖｍｉｎ及び最大体積Ｖｍａｘによって規定されそれらを含む範囲内ではない場合に、注入流体の体積流量及び／又は温度を変更するように構成され得る。例えば、ステップＳ３３１に示すように、より多い体積のあまり冷たくない流体を人工冷却の場合に注入してもよく、又は同一温度（例えば、４℃）の流体の注入を継続し、さらにおよそ体温の決められた流体流れを注入する。体積流量を増加させることによって、推定体積はＶｍｉｎ未満からＶｍｉｎ及びＶｍａｘにより規定される範囲内の値に変化する。逆に、人工冷却の場合、推定体積（Ｖｅｓｔ）を最大体積（Ｖｍａｘ）未満に変化させるために流体温度を下げたより少ない体積流量を適用できる。
【０２２６】
ステップＳ３３２によると、コントローラは、推定体積Ｖｅｓｔが最小体積Ｖｍｉｎ及び最大体積Ｖｍａｘによって規定されそれらを含む範囲内となるように所望の最小体積Ｖｍｉｎ及び／又は所望の最大体積Ｖｍａｘを変更するようにユーザに要求するように構成される。このことは、その他のステップＳ３３３又はＳ３３５の体積適応手段が満足のいく代替策を提示せず、また十分でない場合の最後の手段と考えられる。
【０２２７】
図１０に示すステップＳ３３３では、標的体温の許容誤差範囲は注入される体積を減少させるために適応できる。標的体温許容誤差範囲が大きければ大きいほど、より少ない注入流体が必要とされる。図３〜図６に示されるように、複数の段階のために異なる第１の標的体温許容誤差範囲Ｒａ１及び第２の標的体温許容誤差範囲Ｒａ２を規定できる。これらの許容誤差範囲を変化させることによって推定体積Ｖｅｓｔも変更できる。例えば、第１の及び／又は標的体温許容誤差範囲Ｒａ１、Ｒａ２を狭めることによって、推定体積Ｖｅｓｔは増加し、逆もまた同様である。他方では、狭い第１及び／又は標的体温許容誤差範囲Ｒａ１、Ｒａ２は制御品質を向上させる。図１０に示されるように、第１及び／又は第２の許容誤差範囲を広げることによって、推定体積Ｖｅｓｔを、最小体積Ｖｍｉｎ及び最大体積Ｖｍａｘによって規定されそれらを含む範囲内の値に変えることができる。ユーザは、第１及び第２の体温許容誤差範囲に対する最大値を設定できる。第１の最小許容誤差範囲はマシン構成によって制限され得る。
【０２２８】
例えば、第１の下側閾値は標的体温Ｔｂ  ｔａｒよりも０．５℃未満、好ましくは０．２５℃未満、最も好ましくは０．１５℃未満低くてもよい。第１の上側閾値は標的体温Ｔｂ  ｔａｒよりも０．５℃未満、好ましくは０．２５℃、最も好ましくは０．１５℃未満高くてもよい。結果として第１の標的体温許容誤差範囲は、１℃未満、好ましくは０．５℃未満、最も好ましくは０．３℃未満であってもよい。第１の上側閾値及び第２の上側閾値並びに第１の下側閾値及び第２の下側閾値は複数の段階Ｃ、Ｈ、Ｗのそれぞれに対してさまざまであってもよい。さらに、第３の上側閾値及び／又は第３の下側閾値を規定してもよく、コントローラ１００は、実際の温度が第３の上側閾値又は下側閾値に達したら可聴警告及び／又は視覚的警告をトリガするように構成される。
【０２２９】
図９には、推定体積Ｖｅｓｔに対する適応された治療時間の効果も示される。治療時間を延長することによって、最小体積Ｖｍｉｎ未満の推定体積Ｖｅｓｔ  ｏｌｄを、最小体積Ｖｍｉｎ及び最大体積Ｖｍａｘによって規定されそれらを含む範囲内の新たな値Ｖｅｓｔ  ｎｅｗに変えることができる。同様に、治療時間を短縮することによって、推定体積Ｖｅｓｔ  ｏｌｄを、先の推定体積Ｖｅｓｔ  ｏｌｄ未満の新たな又は変更された値Ｖｅｓｔ  ｎｅｗに変えることができる。したがって、短縮された標的治療時間ｔｔｒｅａｔｍｅｎｔ  ｎｅｗ及び／又は延長された標的治療時間ｔｔｒｅａｔｍｅｎｔ  ｎｅｗは、変更された推定体積Ｖｅｓｔ  ｎｅｗが最小体積Ｖｍｉｎ及び最大体積Ｖｍａｘによって規定されそれらを含む範囲内の値になるように選択できる。
【０２３０】
ステップＳ３３５に言及する図１１〜図１３に示すように、コントローラ１００は、注入される体積を最適化するように構成され得る。コントローラ１００は、注入される注入流体の体積を減少させて、最小体積Ｖｍｉｎ及び最大体積Ｖｍａｘによって規定されそれらを含む範囲内の注入体積を減少させる（図１２参照）か、又は推定体積Ｖｅｓｔ  ｏｌｄを当該範囲外の値から当該範囲内の変更された新たな値Ｖｅｓｔ  ｎｅｗへと変化させるように構成されることが好ましい。推定体積Ｖｅｓｔ  ｎｅｗ及びＶｅｓｔ  ｏｌｄは両方共最小体積Ｖｍｉｎを超えていると仮定される。
【０２３１】
コントローラ１００は、少なくとも２つの異なる体温適応手段２００、３００の異なる制御感度の考慮に基づいて体積を最適化できる。制御感度は、体温適応デバイス２００、３００のコントローラ入力値（複数可）の変化に対するそれぞれのコントローラ出力値（複数可）、ここでは体温の変化の尺度である。制御感度は適応手段の有効性の尺度である。例えば、注入デバイスに対して感度を下記式で算出できる。
（４）Ｓ２００＝ＤＥＬＴＡ  Ｔｂ／ＤＥＬＴＡ  Ｖ
式中、
Ｓ２００は注入デバイス２００の制御感度であり、
ＤＥＬＴＡ  Ｔｂ  ａｃｔは実際の体温の変化であり、
ＤＥＬＴＡ  Ｖは、実際の体温の変化を達成するために注入される体積であり、
ただし、注入デバイス２００は、注入流体の体積流量を変化させることにより体温を変える。流体温度は冷却（好ましくは約４℃）及び加温（例えば約４２℃）のため一定であることが好ましい。高感度とは、所与の流体体積で体温が大きく変化することを意味し、逆もまた同様である。
【０２３２】
例えば、熱交換パッドの場合、制御感度は下記式で算出できる。
（５）Ｓ３００＝ＤＥＬＴＡ  Ｔｂ／ＤＥＬＴＡ  Ｔｈｅａｔ  ｅｘｃｈａｎｇｅ
式中、
Ｓ３００はパッド３００の制御感度であり、
ＤＥＬＴＡ  Ｔｂ  ａｃｔは実際の体温の変化であり、
ＤＥＬＴＡ  Ｔｈｅａｔ  ｅｘｃｈａｎｇｅは、患者と接触しているパッドの表面温度であり、
ただし、体温は熱交換表面の温度を変化させることにより変えられる。
【０２３３】
注入デバイスの制御感度は時間と共に変化し得る。例えば、制御感度は、注入流体の温度が治療中変わると変化する。例えば、血液温に対する注入流体の温度の差は、加温、すなわち約４２℃の温かい注入流体の注入に対してよりも冷却、すなわち約４℃の冷たい注入流体の注入の方が大きいため、制御感度は注入デバイス２００による加温と冷却とでは異なる。
【０２３４】
制御感度に対する異なる値は、異なる治療段階Ｃ、Ｈ、Ｗに対して規定され得る。さらに、加温及び冷却のために異なる感度値、例えば、体温適応デバイス２００による加温及び冷却のための事前設定値が規定され得る。制御感度Ｓは、ユーザ入力、例えば、所望の設定及び／又はマシンコアデータに基づいて、例えば、装置に格納される公知の温度デバイスのデータを使用することにより推定され得る。コントローラは、好ましくは注入デバイス２００の第１の制御感度Ｓ２００−１で注入される流体の少なくとも１つの第１の推定体積部分Ｖｅｓｔ  １を推定するように構成され得る。コントローラは、例えば注入デバイス２００の第２の制御感度Ｓ２００−２で注入される流体の少なくとも１つの第２の推定体積部分Ｖｅｓｔ  ２を推定するように構成されてもよく、第１の制御感度Ｓ２００−１は第２の制御感度Ｓ２００−２よりも高い。第１の制御感度Ｓ２００−１は、第２の制御感度Ｓ２００−２よりも少なくとも１．２倍、好ましくは少なくとも２倍、さらに好ましくは少なくとも４倍、最も好ましくは少なくとも６倍高くてもよい。例えば、第１の制御感度Ｓ２００−１は、冷却中、したがって、注入流体と血液との温度差が大きい期間中に達成されてもよい。さらに、第２の制御感度Ｓ２００−２は、加温中、したがって、注入流体と血液との温度差が小さい期間中に達成されてもよい。コントローラは第１及び第２の制御感度レベルに限定されず、複数の制御感度レベルに対して複数の体積部分を決定するように構成されてもよい。さらに、第１の推定体積部分Ｖｅｓｔ  １及び第２の推定体積部分（Ｖｅｓｔ  ２）は１つの連続した期間における部分に限定されない。特定感度レベルでの推定体積部分は、治療中同じ感度レベルで注入される体積すべての合計であってもよい。推定体積Ｖｅｓｔは、第１の推定体積部分Ｖｅｓｔ  １及び第２の推定体積部分Ｖｅｓｔ  ２の合計であってもよい。
【０２３５】
制御感度を考慮した体積最適化の根底にある考えは、コントローラが、好ましくは注入が非常に効果的であり、すなわち、高い制御感度Ｓ２００−１である場合に、注入デバイス２００を操作するということである。注入デバイス２００が非常に効果的でない、すなわち、低い制御感度Ｓ２００−２であると考えられる期間において、さらなる体温適応手段３００が標的体温を達成するのに好適であれば、コントローラは主にさらなる体積ニュートラルな体温適応手段３００を使用する。すなわち、注入デバイス２００を用いたより高い制御感度での注入は、注入体積を減少すべき場合、注入デバイス２００を用いたより低い制御感度での注入よりも優先される。さらに、注入デバイス２００が低制御感度で動作する場合、さらなる体温適応手段３００の動作が優先されてもよい。
【０２３６】
ここで、図１３を参照して制御を説明する。シナリオａ）では、所望の標的体温プロファイルの推定体積Ｖｅｓｔは、最小体積Ｖｍｉｎ及び最大体積Ｖｍａｘによって規定されそれらを含む範囲内である。所望の標的体温プロファイルを達成するために、Ｖｅｓｔ  Ｓは、高感度（すなわち、冷却のため）で注入されてもよい体積であり、Ｖｅｓｔ  Ｓ’は低感度での注入のために必要とされる体積である。推定体積ＶｅｓｔはＶｅｓｔ  Ｓ及びＶｅｓｔ  Ｓ’の合計である。推定体積Ｖｅｓｔは、最小体積Ｖｍｉｎ及び最大体積Ｖｍａｘにより規定されるため、さらなる体積の最適化は必要とされない。しかし、臨床スタッフがさらに体積を減少させたい場合、体積は最適化できる。例えば、体積は、許容誤差範囲を広げることによって減少でき、及び／又はさらなる体積ニュートラルな体温適応デバイスを優先、したがって主に使用してもよい。さらに、標的値は変更してもよい。
【０２３７】
シナリオｂ）では、推定体積は、最小体積Ｖｍｉｎ及び最大体積Ｖｍａｘによって規定されそれらを含む範囲内にはないが、シナリオａ）の推定体積Ｖｅｓｔ  Ｓを少なくとも超え、高感度で注入され得る。推定体積Ｖｅｓｔを変える１つの可能性は、少なくとも部分的にさらなる体積ニュートラルな体温適応デバイス３００、例えば、血管内カテーテル３００のみを加温期間（すなわち、注入デバイスの低制御感度の期間中）に操作することであってもよい。デバイス３００のみが操作される期間により、注入流体が節減されることになる。標的体温プロファイルに必要とされる推定体積が、最小体積Ｖｍｉｎ及び最大体積Ｖｍａｘにより規定される範囲内であるように、期間の長さを選択できる。制御感度が向上したか又は高い範囲は完全に使用され、低制御感度での体積の使用は減少する。すなわち、デバイス２００、３００は、最小体積Ｖｍｉｎ及び最大体積Ｖｍａｘを考慮して操作及び／又は優先される。
【０２３８】
シナリオｃ）では、推定体積Ｖｅｓｔは、最小体積Ｖｍｉｎ及びシナリオａ）の高制御感度推定体積Ｖｅｓｔ  Ｓによって規定されそれらを含む範囲内ではない。比較的低い制御感度の期間、すなわち患者の加温中、注入流体は注入されず、体積ニュートラルな体温適応手段のみが動作する。ここで、比較的低い制御感度の期間、すなわち、患者の冷却中も、流体の注入を減少でき、さらなる体積ニュートラルな適応手段をさらに、好ましくは少なくとも部分的に動作する。
【０２３９】
シナリオｄ）では、最大体積Ｖｍａｘは最小体積Ｖｍｉｎにほぼ等しい。結果として、体温適応のためにほとんど体積を使用しなくてもよい。体温適応は主にさらなる体温適応手段３００により達成されることになる。
【０２４０】
すべてのシナリオａ）〜ｄ）について、コントローラは、注入手段が少なくとも部分的に動作していない場合も標的体温プロファイルＴｂ  ｔａｒ  ｐｒｏｆが達成され得るかどうかを推定するように構成される。
【０２４１】
優先順位付けを治療全体について図１３で説明したが、優先順位付け又は体積最適化は、複数の治療段階Ｃ、Ｈ、Ｗに適用されてもよい。シナリオａ）〜ｄ）の評価は初期準備中又は治療中に実行できる。さらに、コントローラは、好ましくは規定された標的体温プロファイルが達成される限り、２つの異なる体温適応手段２００、３００の優先順位付けを自動で変更するように構成され得る。
【０２４２】
或いは、注入される体積の優先順位付け又は配分は下記式によって説明できる。
（６）Ｖｅｓｔ＝ａ＊ＶＳ  ｅｓｔ＋ｂ＊ＶＳ’  ｅｓｔ
式中、
Ｖｅｓｔは規定された標的体温プロファイルに対して注入される全体積であり、
ＶＳ  ｅｓｔは規定された標的体温プロファイルに対して高感度で注入される全体積であり、
ＶＳ’  ｅｓｔは規定された標的体温プロファイルに対して低感度で注入される全体積であり、
ａ、ｂは０〜１の間の値の乗数である。
【０２４３】
さらに、複数の治療段階中、治療段階それ自体が例えば下記式に従って優先され得る。
（７）Ｖｅｓｔ＝ａ＊Ｖｅｓｔ  Ｃ＋ｂ＊Ｖｅｓｔ  Ｈ＋ｃ＊Ｖｅｓｔ  Ｗ
式中、
Ｖｅｓｔは規定された標的体温プロファイルに対して注入される全体積であり、
Ｖｅｓｔ  Ｃ、Ｖｅｓｔ  Ｈ、Ｖｅｓｔ  Ｗは規定される標的体温プロファイルを達成するために注入される全体積であり、Ｖｅｓｔ  Ｃ、Ｖｅｓｔ  Ｈ、Ｖｅｓｔ  Ｗは式（６）、すなわちそれぞれの治療段階（複数可）内の優先順位付けを使用して算出でき、
ａ、ｂ、ｃは０〜１の間の値の乗数である。
【０２４４】
図１４は、体温Ｔｂを適応させる装置を示す。ここで、装置は、ここでは管類を介して装置のコネクタＡに接続された注入針として構成された注入デバイス２００に接続されている。
【０２４５】
以後、さらなる体温適応デバイス（３００）は好ましくは血管内カテーテルである。しかし、同じことが熱交換器（３１０）を備えたパッドにも当てはまる。熱交換器３１０を備えたカテーテル３００は第２の管類を介して装置のコネクタＢにも接続される。装置はここで流体供給部４００、ここでは熱交換器として構成される流体温度適応デバイス５００、及び流体ポンプ６００を備える。
【０２４６】
流体供給部４００、熱交換器５００、及び流体ポンプ６００は１つの流体回路に相互に流体連結されてもよい。流体回路は、流体供給部４００から熱交換器３１０へと下流に延びる流体部分７００と、下流の熱交換器３１０から流体供給部４００へと戻るように延びる第２の流体回路部分１７００とを備えてもよい。図１４及び図１５において、矢印は、流体供給部４００の出口から離れる方向「下流」への流れ方向を示す。ここではスイッチ又はバルブ又は通気孔として構成される作動デバイス９００は、入ってくる流体の流れを２つの別個の流体流れに分離できる。第１の流れ２７００はスイッチ９００から注入針２００の方に流れる。第２の流れはデバイス９００から熱交換器３１０の方に向けられる。バルブ９００下流に位置する測定デバイス２２０、３２０は、注入針２００及びカテーテル３００へ流れる流体の温度又は圧力又は流量をそれぞれ測定できる。ここで、注入針２００及び血管内カテーテル３００は熱交換器３１１の上流、より正確にはバルブ９００の上流に位置する流体回路部分７００を共有する。
【０２４７】
用語「共有」とは、共有構成要素（複数可）が構造的及び／又は機能的に注入デバイス２００及び血管内カテーテル３００の両方と相互関係を有することを示す。すなわち、注入デバイス２００及び血管内カテーテル３００は共有構成要素により、又は共有構成要素を使用しながら使用又は操作される。このことは、装置が、構成要素、すなわち注入デバイス２００及び血管内カテーテル３００を操作するための流体回路部分７００、コントローラ１００、流体供給部４００、流体温度適応デバイス５００、ポンプ６００、及び／又はハウジング８００のうちの少なくとも１つ又は複数を共有することによって、注入デバイス２００及び血管内カテーテル３００を操作するように構成されることを意味する。流体回路部分７００の共有とは、注入針及びカテーテル３００の両方が、少なくとも同じ流路を通る１つのセクションにおいて流体流れが提供されることを意味する。
【０２４８】
図１４において、注入針２００及びカテーテル３００は別個のデバイスとして構成されている。或いは、注入針２００はカテーテル３００に一体化されていてもよい。例えば、注入針２００は、好ましくは両方のデバイスが同じ開口部を使用して同時に患者に挿入されるように、熱交換器３１０の隣に配置されてもよい。
【０２４９】
より好ましくは、注入針２００及びカテーテル３００は、注入針への流路並びにコネクタから熱交換器３１０及び逆へのさらなる流路を備えた共有管類を用いて装置に接続される。両方の流路は互いに分離されており、好ましくは熱的に分離されている。分離は、樹脂材料等の熱伝導率の低い材料の拡大材料層として構成されてもよい。拡大材料層は、流れチャネルの壁の厚さを超えてもよい。層は流れチャネル間に配置され得る。共有管類が使用される場合、熱交換器から戻ってくる流体は、熱交換器３１０から流れて戻る流れの直接隣に位置する流れチャネルを通って流れる注入される流体の温度に悪影響を与え得る。熱的分離は、比較的温かい流体流れの注入される流体への影響を低減できる。
【０２５０】
さらに、共有管類は、特に、注入針の流路とさらなる体温適応デバイスの流路との間に分離を提供するように、個々の流れチャネル間に設けられた分離手段を備え得る。このことは、２つの異なるデバイスの標的とする体温プロファイルが逆である場合に有利となり得る。注入針２００を介した患者の身体の中核体温の標的とする調節は、冷たい生理食塩水の高速流入を介した患者の高速全身冷却であってもよく、高速全身冷却は医学的観点からは有益であるが、患者にはむしろ不快である。その結果、第２の体温調節デバイスは、例えば患者の快適さを向上させるために正常体温を超えるように調節された皮膚上の表面パッドにより、患者の快適さを改善しながら、冷たい流体、例えば、生理食塩水の高速注入により身体を全身的に冷却できる。上述のこの分離手段は共有管類の一部に沿ってのみ必要とされてもよい。
【０２５１】
共有管類は、装置の共有コネクタとかみ合うように構成された共有コネクタを介して装置に接続され得る。用語「共有コネクタ」とは、カテーテル３００への（及びカテーテル３００からの）流路及び注入針２０への流路が、装置の対応する流路に、好ましくは単一の継手又は接続操作によって流体接続されることを意味する。注入される流体の体積は好ましくは、上記で説明したコントローラ１００によって制御される。図１４には、装置の異なる構成要素とのコントローラ１００の接続は示されない。例えば、コントローラ１００は、熱交換器５００、ポンプ６００、バルブ９００、及び／又は測定手段２２０、３２０に動作可能に連結され得る。図１４の破線８００は、装置のハウジングを示す。すべての構成要素がここでは１つのハウジング８００に配置されているが、図１に関して本明細書で述べられるような異なるハウジングを有する異なるモジュールの概念を適用してもよい。
【０２５２】
従来技術のデバイスと比較して、図１４に示される装置は少ない構成要素を備え、製造コストの低減がもたらされる。さらに、必要とするスペースも低減できる。さらに、２つの装置の代わりに１つのみの装置を準備しさえすればよいため、準備時間も短縮できる。共有管類及び共有コネクタはさらにコスト及び準備時間を低減できる。さらに、注入のための追加の管類が取り除かれ、臨床スタッフの邪魔をしなくなるため、共有管類は患者へのアクセス可能性も改善できる。注入針がカテーテルに組み込まれる場合、準備時間はさらに低減でき、感染リスクもまたさらに低減できる。他方では、２つの異なるデバイスを有することにより、一方のデバイスを交換することがあっても、確実に冷却が依然として誘導される。
【０２５３】
図１５は、異なる流体温度適応デバイス５００を有する装置を示す。流体温度適応デバイス５００はここでは、流体流れ２７００及び３７００のための２つの異なる流路を備えた熱交換器として構成される。流体流れ２７００は、注入針２００と注入流体供給部４２０を相互接続する。流路３７００は、熱交換器用の流体供給部４１０の出口をカテーテル３００の熱交換器３１０と相互接続する。流体流れ２７００、３７００は互いから分離されていてもよい。流体流れを分離したことにより、カテーテル３００に使用される流体は患者の体内に注入される流体流れ２７００と確実に混合され得ない。その結果、患者の体内に注入される流体の汚染リスクがさらに低減され得る。流体流れ２７００、３７００の異なる流路は互いから分離されていてもよい。熱交換器５００は、患者に注入される流体の温度適応のための第１のセクション５２０と、カテーテルの熱交換器３１０に流れる流体の温度が適応される第２のセクション５１０とを備えることができる。図１５には、２つの別個の流体流れ２７００、３７００の流量を適応させる２つのポンプ６００も図示される。別個の流体供給部４１０、４２０は熱的に分離された容器４３０内に配置され得る。
【０２５４】
図１４及び図１５に示される体温を適応させるシステムは、製造コスト、準備時間、ケーブル布線、及び感染リスクのうちの少なくとも１つを低減可能であり得る。加えて、使いやすさ及び患者の快適さはさらに向上できる。注入手段２００及びここでは好ましくはカテーテル３００として構成される少なくとも１つのさらなる体温適応手段３００を制御するように構成されたコントローラを使用することにより、有利なことに、体温治療の制御精度をさらに改善し、及び／又は所望のレベルまで患者に注入される体積を調節することもできる。
【０２５５】
特許請求の範囲において、用語「含む、備える」とは、他の要素又はステップを排除するものではない。さらに、個々に列挙されているが、複数の手段、要素又は方法ステップが実現されてもよい。加えて、個々の特徴は異なる請求項に含まれている場合があるが、これらは有利には組み合わせることができ、異なった請求項に含めていることは、特徴の組み合わせが実現可能及び／又は有利ではないことを意味しているものではない。加えて、単数での言及は複数を除外するものではない。
【図１】
2017511244.tif 000004
【図２】
2017511244.tif 000005
【図３】
2017511244.tif 000006
【図４】
2017511244.tif 000007
【図５】
2017511244.tif 000008
【図６】
2017511244.tif 000009
【図７】
2017511244.tif 000010
【図８】
2017511244.tif 000011
【図９】
2017511244.tif 000012
【図１０】
2017511244.tif 000013
【図１１】
2017511244.tif 000014
【図１２】
2017511244.tif 000015
【図１３】
2017511244.tif 000016
【図１４】
2017511244.tif 000017
【図１５】
2017511244.tif 000018
【国際調査報告】
2017511244.tif 000019
2017511244.tif 000020
2017511244.tif 000021